(57)【要約】【課題】看板としての表示機能を損なわず、表示部材のあらゆる場所に、前後左右任意の方向から、自由に花や小物を用いた装飾機能を発揮し、特定の文字や内容を強調し、被掲示構造物の形状に対応できる装飾機能付きシート状案内表示物の製造方法に関する技術を提供する。【解決手段】装飾物（Ｓ）を保持する保持手段を有する案内表示物を製造する方法で、シート部材（１０）は、スリット（２０）、を設ける構成から成り、前記装飾物保持部材（３０）は、前記装飾物を保持し、前記シート部材（１０）の背面に配置され、前記スリット（２０）は開口部であって、前記シート部材（１０）に前記装飾物（Ｓ）を挿通させる際に開口する挿通穴（２１）となり、前記装飾物保持部材（３０）は、前記任意の位置に設けられたスリット（２０）位置に合わせて、前記装飾物（Ｓ）が前記スリット（２０）から挿通されて前記装飾物保持部材（３０）によって保持するという手段を取った。【選択図】図１
2019066807.tif 000002
【特許請求の範囲】
【請求項１】
装飾物（Ｓ）を保持する保持手段を有する案内表示物を製造する方法であって、支持材（２３）に設けられたシート部材（１０）は、スリット（２０）、を設ける構成から成り、前記シート部材（１０）は、全部又は一部を表示可能領域（１１）とする可撓性を有するシート状であり、前記支持材（２３）は、シート部材（１０）あるいは装飾物あるいは装飾物保持部材（３０）の位置を保持する機能を有し、前記装飾物保持部材（３０）は、前記装飾物を保持する機能を有し、該装飾物保持部材（３０）あるいは装飾物は前記支持材（２３）または支持材（２３）と係止されている固定材から吊設または架設されており、前記スリット（２０）は開口部であって、前記シート部材（１０）に前記装飾物（Ｓ）を挿通させる際に開口する挿通穴（２１）となり、前記シート部材（１０）の任意の位置に少なくとも１以上を設けられたスリットの穴であり、前記装飾物保持部材（３０）は、前記任意の位置に設けられたスリット（２０）位置に合わせて、必要に応じて位置調整が可能で、前記装飾物（Ｓ）が前記スリット（２０）から挿通されて前記支持材（２３）より吊設または架設された前記装飾物保持部材（３０）によって保持することを特徴とする装飾機能付きシート状案内表示物の製造方法（１）。
【請求項２】
装飾物（Ｓ）を保持する保持手段を有する案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、弾性力あるいは高摩擦力のある材料を用いた弾性挟持部材（６３）であり、該弾性挟持部材（６３）には、前記シート部材（１０）の任意の位置に少なくとも１以上設けられたスリット（２０）に合わせた位置の背面に、１以上の第２スリット（６４）が設けられ、該弾性挟持部材（６３）の第２スリット（６４）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする装飾機能付きシート状案内表示物の製造方法（１）。
【請求項３】
前記、装飾物（Ｓ）を保持する保持手段を有する案内表示物を製造する方法であって、支持材（２３）に設けられたシート部材（１０）に、スリット（２０）を設ける構成から成り、
前記シート部材（１０）は、全部又は一部を表示可能領域（１１）とする可撓性を有する
シート状であり、
前記シート部材（１０）が、弾性力あるいは高摩擦力のある材料を用いた、前記、弾性挟持部材（６３）であり、該弾性挟持部材（６３）には、任意の位置に少なくとも１以上設けられたスリット（２０）が設けられ、該弾性挟持部材（６３）のスリット（２０）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする請求項２の装飾機能付きシート状案内表示物の製造方法（１）。
【請求項４】
装飾物（Ｓ）を保持する保持手段を備えた装飾機能付きシート状案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記装飾物（Ｓ）には穿通可能材（２４）である前記装飾物保持部材（３０）を穿通し、刺入可能な刺入形状部（２５）が設けられており、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記刺入形状部（２５）により穿通可能な材質である穿通可能材（２４）からなり、該穿通可能材（２４）には、前記シート部材（１０）の任意の位置に少なくとも１以上設けられたスリット（２０）を設ける位置に合わせた前記シート部材（１０）の背面に、必要に応じて任意で第２スリット（６４）を設けられ、該穿通可能材（２４）への刺入または挟持による保持力を利用した前記保持手段として、前記装飾物（Ｓ）が前記スリット（２０）から挿通されて刺入または挟持による保持力によって保持することを特徴とする装飾機能付きシート状案内表示物の製造方法（１）。
【請求項５】
装飾物（Ｓ）を保持する保持手段を備えた装飾機能付きシート状案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、１以上のファスナー（７０）とファスナースライダー（７１）からなり、２以上のファスナースライダー（７１）の開口部への前記装飾物を挿通させて挟持による挟持力による保持手段として、あるいは、前記１以上のファスナースライダー（７１）に前記装飾物を保持可能である任意の別の種類の装飾物保持部材（３０）が設けられて移動可能であり、該別の種類の装飾物保持部材（３０）による保持力を利用したことを前記保持手段として、前記装飾物（Ｓ）が前記スリット（２０）から挿通されて保持することを特徴とする装飾機能付きシート状案内表示物の製造方法（１）。
【請求項６】
装飾物（Ｓ）を保持する保持手段を備えた装飾機能付きシート状案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、段差を設けられた段差付材（９１）からなり、該段差部には、必要に応じて引掛け部（９２）あるいは横ずれ防止部（９３）が設けられており、該段差付材（９１）の段差部への載置または該段差付材（９１）の引掛け部（９２）への引っ掛けによる保持力を利用したことを前記保持手段として、前記装飾物（Ｓ）が前記スリット（２０）から挿通されて載置または引っ掛けによる保持力によって保持することを特徴とする装飾機能付きシート状案内表示物の製造方法（１）。
【請求項７】
装飾物（Ｓ）を保持する保持手段を備えた装飾機能付きシート状案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、穴部（４５）を設けられた穴部（４５）材（３７）からなり、該穴部（４５）材（３７）の穴部（４５）への挿入または引っ掛けまたは結束または係止され、前記装飾物（Ｓ）が前記スリット（２０）から挿通されて穴部材によって保持することを特徴とする装飾機能付きシート状案内表示物の製造方法（１）。
【請求項８】
装飾物（Ｓ）を保持する保持手段を備えた装飾機能付きシート状案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、可撓性を有する背面シート部材（１００）からなり、該背面シート部材（１００）はシート部材（１０）の背面に設けられ、前記保持手段が引掛けまたは挿入及び引掛けによるものであって、前記保持手段が引掛けによる場合は、前記装飾物保持部材（３０）に、掛着部材（１３）またはカット掛着部（１５）を用い、前記掛着部材（１３）は、小シートまたは紐状体を少なくとも２か所で前記背面シート部材（１００）に貼着することによって、引掛け部（９２）を形成し、また、カット掛着部（１５）は背面シート（１００）の一部に１以上の切り込みを設けることによって、引掛け部（９２）を形成し、装飾物Ｓはそれぞれの装飾物保持部材（３０）に引掛けて保持可能で、前記保持手段が引掛け及び挿入による場合は、前記掛着部材（１３）またはカット掛着部（１５）に挿入して引掛けて保持し、該掛着部材（１５）またはカット掛着部（１５）は前記スリット（２０）と対応する前記シート部材（１０）の裏面に位置する個所に設けられ、または、任意で、前記背面シート部材（１００）の代わりに、前記シート部材（１０）に前記掛着部材（１３）またはカット掛着部（１５）を設け、前記装飾物（Ｓ）を前記掛着部材（１５）またはカット掛着部（１５）へ掛着または、挿入して掛着することによって前記装飾物（Ｓ）を引掛け、または挿入及び引掛けによって保持することを特徴とする装飾機能付きシート状案内表示物の製造方法（１）。
【請求項９】
装飾物（Ｓ）を保持する保持手段を備えた装飾機能付きシート状案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、可撓性を有する１以上の背面シート部材からなり、該背面シート部材は、一部を前記支持材（２３）またはシート部材（１０）に係止されて前記シート部材（１０）と重複して裏面に設けられ、前記シート部材（１０）側から、第１背面シート部材、第２背面シート部材とし、更に重複される場合は、順番に第３背面シート部材と続いて重複され、前記シート部材（１０）を第０シート部材とし、第１背面シート部材及び第２背面シート部材で前記装飾物保持部材（３０）を形成する場合は、前記シート部材（１０）の任意の位置に設けられた前記スリット（２０）に対応して、前記第１背面シート部材あるいは第２背面シート部材にも任意のサイズの第２スリット（６４）が設けられ、前記該第１背面シート部材及び第２背面シート部材の任意の位置において、点あるいは直線あるいは曲線あるいは面の単独あるいは組み合わせで任意の位置及び方向及び形状に互いに貼着することにより、２シート貼着部（１１０）を創出し、引っ掛けあるいは、当接あるいは、挿入あるいは引掛けと挿入あるいは摩擦あるいは収納部を創出し、それぞれを任意の長さ、幅、方向で任意の保持機能を創出し、あるいは、該重複するシート同士を任意の位置で貼着することによる２シート貼着部（１１０）の創出を、同様に任意で隣り合う前記第０シート部材以降の複数シート部材間または、２のシート部材（１０）の間に設け、前記装飾物（Ｓ）が前記スリット（２０）から挿通されて、前記２シート貼着部（１１０）によって、保持することを特徴とする装飾機能付きシート状案内表示物の製造方法（１）
【請求項１０】
装飾物（Ｓ）を保持する保持手段を備えた装飾機能付きシート状案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、前記支持材（２３）からは、装飾物保持部材（３０）を備えた部材である保持部装着材（３５）が吊設または架設されており、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記保持部装着材（３５）に設けられた前記装飾物保持部材（３０）が、挿入または挿入及び引掛けによる保持力を利用した前記保持手段として１以上の筒形状の筒状体部材が設けられ、該筒状体部材は、前記シート部材（１０）の任意の位置に設けられたスリット（２０）位置に、その位置を自由に調節可能で、該筒状体部材は、貫通筒状体または開口部が１の筒状体とした構造とし前記装飾物（Ｓ）が前記スリット（２０）から挿通されて該筒状体部材の開口部または該筒状体部材の側面に設けられた第２スリット（６４）あるいは穴に挿入または挿入及び引掛けることにより保持することを特徴とする装飾機能付きシート状案内表示物（２）。
【請求項１１】
装飾物（Ｓ）を保持する保持手段を有する案内表示物を製造する方法であって、シート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持され、スリット（２０）を設けられた前記シート部材（１０）を保護する保護部材が、前記シート部材（１０）と前記装飾物保持部材（３０）の間に、前記シート部材（１０）に密着または貼着または近接して設けられたことを特徴とする装飾機能付きシート状案内表示物の製造方法（１）。
【請求項１２】
装飾物（Ｓ）を保持する保持手段を有する案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、１以上の前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）及び背面に１以上の前記装飾物保持部材（３０）を設けたことを特徴とする、装飾機能付きシート状案内表示物の製造方法（１）。
【請求項１３】
装飾物（Ｓ）を保持する保持手段を有する案内表示物を製造する方法であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持し該スリット（２０）の形状が、曲線形状あるいは折れ線形状であることを特徴とする装飾機能付きシート状案内表示物の製造方法（１）。
【請求項１４】
前記、装飾物（Ｓ）を保持する保持手段を有する案内表示物を製造する方法において、前記シート部材（１０）がＥＬディスプレイであることを特徴とする請求項１から請求項１３のいずれかに記載の装飾機能付きシート状案内表示物の製造方法（１）。
【請求項１５】
装飾物（Ｓ）を保持する保持手段を有する案内表示物を製造する方法であって、支持材（２３）に設けられたシート部材（１０）に、スリット（２０）を設ける構成から成り、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持され、前記シート部材（１０）が、ＥＬディスプレイであることを特徴とする装飾機能付きシート状案内表示物の製造方法（１）。
【請求項１６】
前記シート部材（１０）の背面に、前記装飾物保持部材（３０）が密着または貼着されて、装飾物（Ｓ）が保持されることを特徴とする、請求項１から請求項１５のいずれかに記載の装飾機能付きシート状案内表示物の製造方法（１）。
【請求項１７】
前記装飾保持部材が、２重に設けられたことを特徴とする請求項１から請求項１６のいずれかに記載の装飾機能付きシート状案内表示物の製造方法（１）。
【請求項１８】
前記装飾機能付きシート状案内表示物（２）が２以上のシート部材（１０）からなり、前記スリット（２０）が、２以上のシート部材（１０）によって形成され、前記装飾物（Ｓ）が前記スリット（２０）から挿通されて、前記２以上のシート間の前記装飾保持部材によって保持されることを特徴とする請求項１から請求項１７のいずれかに記載の装飾機能付きシート状案内表示物の製造方法（１）。
【請求項１９】
前記装飾機能付きシート状案内表示物（２）が２以上のシート部材（１０）からなり、前記スリット（２０）が、２以上のシート部材（１０）によって形成され該２以上のシート部材の任意の位置において、点あるいは直線あるいは曲線あるいは面の単独あるいは組み合わせで任意の位置及び方向及び形状に互いに貼着され、前記装飾物（Ｓ）が前記スリット（２０）から挿通されて、保持することを特徴とする請求項１から請求項１８のいずれかに記載の装飾機能付きシート状案内表示物の製造方法（１）
【請求項２０】
前記装飾物保持部材が、弾性または発泡性樹脂の充填剤であることを特徴とする請求項２から請求項４または請求項１１から請求項１９のいずれかに記載の装飾機能付きシート状案内表示物（２）
【請求項２１】
装飾物（Ｓ）を保持する保持手段を有する案内表示物を製造する方法であって、シート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の前面又は背面又はその両方に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）と前記スリットに挿通した前記装飾物（Ｓ）との３要素が関わり合う構成である三相互保持構造により保持され、前記三相互保持構造の、前記装飾物（Ｓ）と係止された前記装飾物保持部材（３０）が、シート部材への穿通部材、またはシート部材との挟み込み部材、又は、スリット（２０）よりサイズの大きい抜け止め部材、又は、粘着部材であることを特徴とする装飾機能付きシート状案内表示物の製造方法（１）。
【請求項２２】
装飾物（Ｓ）を保持する保持手段を有する案内表示物であって、支持材（２３）に設けられたシート部材（１０）は、スリット（２０）、を設ける構成から成り、前記シート部材（１０）は、全部又は一部を表示可能領域（１１）とする可撓性を有するシート状であり、前記支持材（２３）は、シート部材（１０）あるいは装飾物保持部材（３０）の位置を保持する機能を有し、前記装飾物保持部材（３０）は、前記装飾物を保持する機能を有し、前記支持材（２３）または支持材（２３）と係止されている固定材から吊設または架設されており、前記スリット（２０）は開口部であって、前記シート部材（１０）に前記装飾物（Ｓ）を挿通させる際に開口する挿通穴（２１）となり、前記シート部材（１０）の任意の位置に少なくとも１以上を設けられたスリットの穴であり、前記装飾物保持部材（３０）は、前記任意の位置に設けられたスリット位置に合わせて、必要に応じて位置調整が可能で、前記装飾物（Ｓ）が前記スリット（２０）から挿通されて前記支持材（２３）より吊設または架設された前記装飾物保持部材（３０）によって保持することを特徴とする装飾機能付きシート状案内表示物（２）。
【請求項２３】
装飾物（Ｓ）を保持する保持手段を有する案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、弾性力あるいは高摩擦力のある材料を用いた弾性挟持部材（６３）であり、該弾性挟持部材（６３）には、前記シート部材（１０）の任意の位置に少なくとも１以上設けられたスリット（２０）に合わせた位置の背面に、１以上の第２スリット（６４）が設けられ、該弾性挟持部材（６３）の第２スリット（６４）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする装飾機能付きシート状案内表示物（２）。
【請求項２４】
前記、装飾物（Ｓ）を保持する保持手段を有する案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、シート部材（１０）が、弾性力あるいは高摩擦力のある材料を用いた、前記、弾性挟持部材（６３）であり、該弾性挟持部材（６３）には、任意の位置に少なくとも１以上設けられたスリット（２０）が設けられ、該弾性挟持部材（６３）のスリット（２０）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする請求項２３の装飾機能付きシート状案内表示物（２）。
【請求項２５】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記装飾物（Ｓ）には穿通可能材（２４）である前記装飾物保持部材（３０）を穿通し、刺入可能な刺入形状部（２５）が設けられており、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記刺入形状部（２５）により穿通可能な材質である穿通可能材（２４）からなり、該穿通可能材（２４）には、前記シート部材（１０）の任意の位置に少なくとも１以上設けられたスリット（２０）を設ける位置に合わせた前記シート部材（１０）の背面に、必要に応じて任意で第２スリット（６４）を設けられ、該穿通可能材（２４）への刺入または挟持による保持力を利用した前記保持手段として、前記装飾物（Ｓ）が前記スリット（２０）から挿通されて刺入または挟持による保持力によって保持することを特徴とする装飾機能付きシート状案内表示物（２）。
【請求項２６】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、１以上のファスナー（７０）とファスナースライダー（７１）からなり、２以上のファスナースライダー（７１）の開口部への前記装飾物を挿通させて挟持による挟持力による保持手段、あるいは、前記１以上のファスナースライダー（７１）に前記装飾物を保持可能である任意の別の種類の装飾物保持部材（３０）が設けられて移動可能であり、該別の種類の装飾物保持部材（３０）による保持力を利用したことを前記保持手段として、前記装飾物（Ｓ）が前記スリット（２０）から挿通されて保持することを特徴とする装飾機能付きシート状案内表示物（２）。
【請求項２７】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、段差を設けられた段差付材（９１）からなり、該段差部には、必要に応じて引掛け部（９２）あるいは横ずれ防止部（９３）が設けられており、該段差付材（９１）の段差部への載置または該段差付材（９１）の引掛け部（９２）への引っ掛けによる保持力を利用したことを前記保持手段として、前記装飾物（Ｓ）が前記スリット（２０）から挿通されて載置または引っ掛けによる保持力によって保持することを特徴とする装飾機能付きシート状案内表示物（２）。
【請求項２８】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、穴部（４５）を設けられた穴部（４５）材（３７）からなり、該穴部（４５）材（３７）の穴部（４５）への挿入または引っ掛けまたは結束または係止され、前記装飾物（Ｓ）が前記スリット（２０）から挿通されて穴部材によって保持することを特徴とする装飾機能付きシート状案内表示物（２）。
【請求項２９】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、可撓性を有する背面シート部材（１００）からなり、該背面シート部材（１００）はシート部材（１０）の背面に設けられ、前記保持手段が引掛けまたは挿入及び引掛けによるものであって、前記保持手段が引掛けによる場合は、前記装飾物保持部材（３０）に、掛着部材（１３）またはカット掛着部（１５）を用い、前記掛着部材（１３）は、小シートまたは紐状体を少なくとも２か所で前記背面シート部材（１００）に貼着することによって、引掛け部（９２）を形成し、また、カット掛着部（１５）は背面シート（１００）の一部に１以上の切り込みを設けることによって、引掛け部（９２）を形成し、装飾物Ｓはそれぞれの装飾物保持部材（３０）に引掛けて保持可能で、前記保持手段が引掛け及び挿入による場合は、前記掛着部材（１３）またはカット掛着部（１５）に挿入して引掛けて保持し、該掛着部材（１５）またはカット掛着部（１５）は前記スリット（２０）と対応する前記シート部材（１０）の裏面に位置する個所に設けられ、または、任意で、前記背面シート部材（１００）の代わりに、前記シート部材（１０）に前記掛着部材（１３）またはカット掛着部（１５）を設け、前記装飾物（Ｓ）を前記掛着部材（１５）またはカット掛着部（１５）へ掛着または、挿入して掛着することによって前記装飾物（Ｓ）を引掛け、または挿入及び引掛けによって保持することを特徴とする装飾機能付きシート状案内表示物（２）。
【請求項３０】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、可撓性を有する１以上の背面シート部材からなり、該背面シート部材は、一部を前記支持材（２３）またはシート部材（１０）に係止されて前記シート部材（１０）と重複して裏面に設けられ、前記シート部材（１０）側から、第１背面シート部材、第２背面シート部材とし、更に重複される場合は、順番に第３背面シート部材と続いて重複され、前記シート部材（１０）を第０シート部材とし、第１背面シート部材及び第２背面シート部材で前記装飾物保持部材（３０）を形成する場合は、前記シート部材（１０）の任意の位置に設けられた前記スリット（２０）に対応して、前記第１背面シート部材あるいは第２背面シート部材にも任意のサイズの第２スリット（６４）が設けられ、前記該第１背面シート部材及び第２背面シート部材の任意の位置において、点あるいは直線あるいは曲線あるいは面の単独あるいは組み合わせで任意の位置及び方向及び形状に互いに貼着することにより、２シート貼着部（１１０）を創出し、引っ掛けあるいは、当接あるいは、挿入あるいは引掛けと挿入あるいは摩擦あるいは収納部を創出し、それぞれを任意の長さ、幅、方向で任意の保持機能を創出し、あるいは、該重複するシート同士を任意の位置で貼着することによる２シート貼着部（１１０）の創出を、同様に任意で隣り合う前記第０シート部材以降の複数シート部材間または、２のシート部材（１０）の間に設け、前記装飾物（Ｓ）が前記スリット（２０）から挿通されて、前記２シート貼着部（１１０）によって、保持することを特徴とする装飾機能付きシート状案内表示物（２）
【請求項３１】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、前記支持材（２３）からは、装飾物保持部材（３０）を備えた部材である保持部装着材（３５）が吊設または架設されており、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記保持部装着材（３５）に設けられた前記装飾物保持部材（３０）が、挿入または挿入及び引掛けによる保持力を利用した前記保持手段として１以上の筒形状の筒状体部材が設けられ、該筒状体部材は、任意の位置に設けられたスリット（２０）位置に、その位置を自由に調節可能で、該筒状体部材は任意で、貫通筒状体または開口部が１の筒状体とした構造とし前記装飾物（Ｓ）が前記スリット（２０）から挿通されて該筒状体部材の開口部または該筒状体部材の側面に設けられた第２スリット（６４）あるいは穴に挿入または挿入及び引掛けることにより保持することを特徴とする装飾機能付きシート状案内表示物（２）。
【請求項３２】
装飾物（Ｓ）を保持する保持手段を有する案内表示物であって、シート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持され、スリット（２０）を設けられた前記シート部材（１０）を保護するシート保護部材（１５１）が、前記シート部材（１０）と前記装飾物保持部材（３０）の間に、前記シート部材（１０）に密着または貼着または近接して設けられたことを特徴とする装飾機能付きシート状案内表示物（２）。
【請求項３３】
装飾物（Ｓ）を保持する保持手段を有する案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、１以上の前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）及び背面に１以上の前記装飾物保持部材（３０）を設けたことを特徴とする、装飾機能付きシート状案内表示物（２）。
【請求項３４】
装飾物（Ｓ）を保持する保持手段を有する案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持し該スリット（２０）の形状が、曲線形状あるいは折れ線形状であることを特徴とする装飾機能付きシート状案内表示物（２）。
【請求項３５】
前記、装飾物（Ｓ）を保持する保持手段を有する案内表示物において、前記シート部材（１０）がＥＬディスプレイであることを特徴とする請求項２２から請求項３４のいずれかに記載の装飾機能付きシート状案内表示物（２）。
【請求項３６】
前記装飾物（Ｓ）を保持する保持手段を有し、スリット（２０）が設けられる案内表示物において、前記シート部材（１０）がＥＬディスプレイであり、前記スリット（２０）を設けられる部分が、設けられた各画素毎の発光素子に対して、防水、防気されていることを特徴とする請求項２２から請求項３５ のいずれかに記載の装飾機能付きシート状案内表示物（２）。
【請求項３７】
装飾物（Ｓ）を保持する保持手段を有する案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持され、前記シート部材（１０）が、ＥＬディスプレイであることを特徴とする装飾機能付きシート状案内表示物（２）。
【請求項３８】
前記シート部材（１０）の背面に、前記装飾物保持部材（３０）が密着または貼着されて、装飾物（Ｓ）が保持されることを特徴とする、請求項２２から請求項３７のいずれかに記載の装飾機能付シート状案内表示物（２）。
【請求項３９】
前記装飾保持部材が、２重に設けられたことを特徴とする請求項２２から請求項３８のいずれかに記載の装飾機能付きシート状案内表示物（２）。
【請求項４０】
前記装飾機能付きシート状案内表示物（２）が２以上の前記シート部材（１０）からなり、前記スリット（２０）が、２以上の前記シート部材（１０）によって形成され、前記装飾物（Ｓ）が前記スリット（２０）から挿通されて、前記２以上のシート部材間の前記装飾保持部材によって保持されることを特徴とする請求項２２から請求項３９のいずれかに記載の装飾機能付きシート状案内表示物（２）
【請求項４１】
前記装飾機能付きシート状案内表示物（２）が２以上のシート部材（１０）からなり、前記スリット（２０）が、２以上のシート部材（１０）によって形成され該２以上のシート部材の任意の位置において、点あるいは直線あるいは曲線あるいは面の単独あるいは組み合わせで任意の位置及び方向及び形状に互いに貼着され、前記装飾物（Ｓ）が前記スリット（２０）から挿通されて、前記２以上のシート間の前記装飾保持部材によって保持されることを特徴とする請求項２２から請求項４０のいずれかに記載の装飾機能付きシート状案内表示物（２）
【請求項４２】
前記装飾物保持部材が、弾性または発泡性樹脂の充填剤であることを特徴とする請求項２３から請求項２５または請求項３２から請求項４１のいずれかに記載の装飾機能付きシート状案内表示物（２）
【請求項４３】
装飾物（Ｓ）を保持する保持手段を有する案内表示物であって、シート部材（１０）に、スリット（２０）を設ける構成から成り、装飾物保持部材（３０）が前記シート部材（１０）の前面又は背面又はその両方に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）と、前記シート部材（１０）と前記スリットに挿通した前記装飾物（Ｓ）との３要素が関わり合う構成である三相互保持構造により保持され、前記三相互保持構造の、前記装飾物（Ｓ）と係止された前記装飾物保持部材（３０）が、シート部材への穿通部材、またはシート部材との挟み込み部材、又は、スリット（２０）よりサイズの大きい抜け止め部材、又は、粘着部材であることを特徴とする装飾機能付きシート状案内表示物（２）。
【発明の詳細な説明】
【技術分野】
【０００１】
本発明は、被掲示物の形状に影響を受けない表示物の装飾方法に関し、詳しくは、可撓性を有するシート状案内表示物を用い、その表面に宣伝や案内などの表示を可能とするとともに、小物や植物を用いて装飾する機能をも併せ持つことを特徴とする、宣伝広告等の装飾機能付きシート状案内表示物の製造方法の技術に関する。
【背景技術】
【０００２】
従来から看板には、木製や金属製といった平坦な表面に社名や広告等を表示するものがあり、近年においては電子技術の発達に伴い、大型液晶やＬＥＤモニター等へ広告情報がデジタル表示されものも登場している。係る電子的な表示技術では、表示内容を自由に変更できるという特徴があり、書き直すことが難しい看板等の表示物と比較すると優れた広告媒体といえる。また、簡易的な看板の表示部材として、イーゼルスタンド型のボードに広告やメニューを記載する方法や、伝統的な宣伝方法として、布状物に染色によって表示する暖簾やのぼりを用いた方法も存在する。
【０００３】
また、有機ＥＬに代表されるような可撓性のある電子的な表示技術を持った電子画像も出てきており、その軽量化及び薄さと合わせて、ＥＬ看板に代表されるような可撓性のある看板の普及への需要が高まりつつある。
【０００４】
このように看板としての表示物は多種多様なものが存在している。しかしながら、表示物自体に当初から装飾機能を備えたものは皆無といえ、また、電柱や箱状の掲示対象物の形状に対応して変形が可能であり、且つ花や小物を用いた自由でお洒落な装飾機能を発揮できるシート状表示物は現状において見当たらない。
【０００５】
このような現状下においても、看板としての表示物にハンギングなどを利用したり、お洒落な装飾を施すための工夫を凝らす方は多く存在する。従って、当初から装飾効果を発揮できる機能を備えた新たなシート状表示物の技術の提案が求められているとともに、既に使用されている看板においても、宣伝効果を後発的に発揮できる表示物へ変更可能な技術が求められている。
【０００６】
このような現状に鑑み、本発明者以外にも従来から種々の技術が提案されている。
例えば、特許文献１には、発明の名称を「ポスター」とする技術が開示され、公知技術となっている（特許文献１参照）。具体的には、ポスター用紙に窓を形成し、ポスター用紙にポケットを取り付け、応募用はがきやパンフレット等の添え置き物を提供するものである。しかしながら、特許文献１に記載の発明は、上下左右及び表示面垂直方向に自由な方向からシートの広告、案内表示の、強調したい部分を自由に３次元的に装飾し、強調できないという課題の解決には至っているとはいえないものである。また、電子表示装置である電子表示装置の画面内で自由に立体的に装飾、強調できないという問題の解決には至っていないものである。また、装飾物の重量が表示物に直接かかる為、表示に引き攣れや歪みを生じさせない程度の軽い物に限られるという課題の解決には至っていないものである。また、装飾機能及び表示機能の双方が他の機能に影響を与えないように、自由に、より広いエリアから、あるいは、大きな装飾をするという課題を解決するものではない。
【０００７】
また、特許文献２には、発明の名称を「壁掛本体の裏面にポケットを同じく表面に同ポケットに通ずる小孔を設けてなる壁紙」とする技術が開示され、公知技術となっている（特許文献２参照）。具体的には、合成樹脂シートに直接ポケットを形成し、飾り物やはがき等をポケットに入れて配するという内容である。しかしながら、特許文献１と同様の内容にて、それぞれの課題解決には至っていない。
【０００８】
また、特許文献３には、発明の名称を「花卉ハンギングバッグ及び花卉ハンギングセット」とする技術が開示され、公知技術となっている（特許文献３参照）。具体的には、有底袋体の正面部複数箇所に十文字状切り込み等による窓部を形成してなる。これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する。というものである。しかしながら、特許文献３に記載の発明は、植物の育成に適したハンギングバックの技術に関するものであり、装飾機能及び表示機能の双方が他の機能に影響を与えないという課題を解決するものではない。つまり、その影響とは、例えば、培養土の重量や膨らみなどによる影響である。また、特許文献１と同様の課題解決には至っていない。
【０００９】
また、特許文献４には、発明の名称を「印刷可能なファスナー複合体」とする技術が開示され、公知技術となっている（特許文献２参照）。具体的には、ループ側とフック側から構成されるファスナー複合体であって、標準的なインクジェットプリンタ及び他のプリンタによって容易に印刷、書き込み、または写真現像を可能とし、ディスプレイ、販売、広告または装飾に有用な技術である。しかしながら、特許文献４に記載の発明は、印刷による二次元的な装飾機能は発揮できても、花や小物を利用した自由な発想に基づく三次元的な装飾はできないため、前記問題の解決には至っているとはいえないものである。また、特許文献１と同様の課題の解決には至っていない。
【００１０】
また、特許文献５には、発明の名称を「装飾機能付きシート状案内表示物及びその製造方法」とする技術が提示され、本願発明者による発明で、本願出願時点で未公知技術である（特許文献５参照）。具体的には、本願と類似の課題の解決をしているが、主に、係る手段が相違しているものである。
【先行技術文献】
【特許文献】
【００１１】
【特許文献１】特開２００２−２４４６０１号
【特許文献２】公開実用昭和５２−９９１９４号
【特許文献３】特開２００１−１８６８１６号
【特許文献４】特表２００６−５００２４２号
【特許文献５】特願２０１７−１１７２９０号
【発明の概要】
【発明が解決しようとする課題】
【００１２】
より手軽に、軽量で、コストメリットのある看板装飾であるシート状看板において、その広告、案内効果を高める為に、その特定の文字や内容を強調してアピールする為に、立体的に、自由に、３次元的に表示面の上下左右方向及び表示面垂直方向からも自由に立体的な装飾で強調できないという課題、また、特に、有機ＥＬあるいは無機ＥＬに代表されるシート状案内表示物に代表される、電子表示機の表示機能を極力損なわず、表示部材のあらゆる場所に自由に、且つ、上下左右方向及び表示面垂直方向からも自由に、立体装飾物を用いた装飾機能を発揮し、被掲示構造物の形状に対応できる装飾機能付きシート状案内表示物の製造方法に関する技術提供を課題とするものである。
【課題を解決するための手段】
【００１３】
本発明は、装飾物を保持する保持手段を有する装飾機能付きシート状案内表示物を製造する方法であって、支持材に、シート状案内表示物に、スリットと、装飾物保持部材とを設ける構成から成り、前記支持材は、シート部材の位置を保持する機能を有し、前記スリットは開口部であって、前記シート部材に前記装飾物を挿通させる際に開口する挿通穴となり、前記シート部材の任意の位置に任意のサイズで少なくとも１以上を設けられたスリットの穴であり、前記装飾物保持部材が、前記シート部材の任意の位置に少なくとも１以上設けられたスリットに合わせた位置の背面に設けられ、前記装飾物が前記スリットから挿通されて前記装飾物保持部材によって保持する手段を採用する。
【００１４】
また、本発明は、前記装飾物保持部材は、前記任意の位置に設けられたスリット位置に合わせて、必要に応じて位置調整が可能で、前記装飾物が前記スリットから挿通されて前記支持材より吊設または架設された前記装飾物保持部材によって保持する手段を採用することもできる。
【００１５】
また、本発明は、前記装飾物保持部材が、弾性力あるいは高摩擦力のある材料を用いた弾性挟持部材であり、該弾性挟持部材には、前記シート部材の任意の位置に少なくとも１以上設けられたスリットに合わせた位置の背面に、１以上の第２スリットが設けられ、該弾性挟持部材の第２スリットへの挟持による挟持保持力あるいは摩擦保持力を利用した前記保持手段として、前記装飾物が前記スリットから挿通されて第２スリットの挟持力あるいは摩擦力によって保持する手段を採用することもできる。
また、本発明は、前記シート部材を弾性挟持部材とし、該弾性挟持部材に設けられたスリットの挟持力あるいは摩擦力によって保持する手段を採用することもできる。
【００１６】
また、本発明は、前記装飾物保持部材が、弾性力あるいは高摩擦力のある材料を用いた弾性挟持部材であり、該弾性挟持部材には、前記シート部材の任意の位置に少なくとも１以上設けられたスリットに合わせた位置の背面に、１以上の第２スリットが設けられ、該弾性挟持部材の第２スリットへの挟持による挟持保持力あるいは摩擦保持力を利用した前記保持手段として、前記装飾物が前記スリットから挿通されて第２スリットの挟持力あるいは摩擦力によって保持する手段を採用することもできる。
【００１７】
装飾物には穿通可能材である装飾物保持部材を穿通し、刺入可能な刺入形状部が設けられており、装飾物保持部材が、前記刺入形状部により穿通可能な材質である穿通可能材からなり、該穿通可能材へ装飾物を刺入または挟持による保持力を利用した保持手段を採用することもできる。
【００１８】
また、本発明は、前記シート部材が、前記装飾物保持部材である、弾性挟持部材または穿通可能材２４に密着または貼着されて、前記スリットを設ける手段を採用することもできる。
【００１９】
また、本発明は、前記装飾物保持部材が、１以上のファスナーとファスナースライダーからなり、２以上のファスナースライダーの開口部への前記装飾物を挿通させて挟持による挟持力による保持手段、あるいは、前記１以上のファスナースライダーに設けられて移動可能であり、前記装飾物を保持可能である任意の前記装飾物保持部材による保持力を利用したことを前記保持手段とすることもできる。
【００２０】
また、本発明は、前記装飾物保持部材が、段差を設けられた段差付材からなり、該段差部には、必要に応じて引掛け部あるいは横ずれ防止部が設けられている手段を採用することもでき、また、前記装飾保持部材が、２重に設けられた手段を採用することもできる。
【００２１】
また、本発明は、前記装飾物保持部材が、穴部を設けられた穴部材からなり、該穴部材の穴部への挿入または引っ掛けまたは結束または係止により、前記装飾物（Ｓ）が前記スリットから挿通されて穴部材によって保持する手段を採用することもでき、また、前記装飾保持部材が、２重に設けられた手段を採用することもできる。
【００２２】
また、本発明は、前記装飾物保持部材が、可撓性を有する背面シート部材からなり、該背面シート部材はシート部材の背面に設けられ、前記保持手段が引掛けまたは挿入及び引掛けによるものであって、前記装飾物保持部材に掛着部材またはカット掛着部を用い、前記掛着部材は、小シートまたは紐状体を少なくとも２か所で前記背面シート部材に貼着することによって、引掛け部を形成し、カット掛着部は背面シートの一部に１以上の切り込みを設けることによって、引掛け部を形成し、これらの装飾保持部材は前記スリットと対応する前記シート部材の裏面に位置する個所に設けられ、または必要に応じて、これらの装飾保持部材は任意で前記背面シート部材の代わりに、前記シート部材に前記掛着部材を貼着することによって備えられ、前記装飾物を前記掛着部材またはカット掛着部へ掛着または、挿入して掛着することによって前記装飾物を引掛け、または挿入及び引掛けによって保持する手段を採用することもできる。
【００２３】
また、本発明は、前記装飾物保持部材が、可撓性を有する１以上のシート部材からなり、該シート部材は、一部を前記支持材またはシート部材に係止されて前記シート部材と重複して裏面に設けられ、前記シート部材側から、第１背面シート部材、第２背面シート部材とし、更に重複される場合は、順番に第３背面シート部材と続いて重複され、前記シート部材を第０シート部材とし、第１背面シート部材及び第２背面シート部材で前記装飾物保持部材を形成する場合は、前記シート部材の任意の位置に設けられた前記スリットに対応して、前記第１背面シート部材あるいは第２背面シート部材にも任意のサイズの第２スリットが設けられ、前記該第１背面シート部材及び第２背面シート部材の任意の位置において、点あるいは直線あるいは曲線あるいは面の単独あるいは組み合わせで任意の位置及び方向及び形状に互いに貼着することによる２シート貼着部によって、引っ掛けあるいは、当接あるいは、挿入あるいは引掛けと挿入あるいは摩擦あるいは収納部を創出し、それぞれを任意の長さ、幅、方向で任意の保持機能を創出し、該重複するシート同士を任意の位置で貼着することによる２シート貼着部の創出を、同様に任意で隣り合う前記第０シート部材以降のシート部材間または、２枚のシート部材の間に設け、前記装飾物が前記スリットから挿通されて２シート貼着部によって、保持する手段を採用することもできる。
【００２４】
また、本発明は、前記保持部装着材に設けられた前記装飾物保持部材が、挿入または挿入及び引掛けによる保持力を利用した前記保持手段として１以上の筒状体部材が設けられ、該筒状体部材は、任意の位置に設けられたスリット位置に、その位置を自由に調節可能で、該筒状体部材は任意で、貫通筒状体または開口部が１の筒状体とした構造とし前記装飾物が前記スリットから挿通されて該筒状体部材の開口部または該筒状体部材の側面に設けられたスリットあるいは穴に挿入または挿入及び引掛けることにより保持する手段を採用することもできる。
【００２５】
また、本発明は、シート部材に、該シート部材の保護部材を密着または貼着または近接するという手段を採用することもできる。
【００２６】
また、本発明は、シート部材に、装飾物保持部材を密着または貼着または近接するという手段を採用することもできる。
【００２７】
また、本発明は、装飾物保持部材を２重で設けるという手段を採用することもできる。
【００２８】
また、本発明は、前記何れかに記載された保持手段において、前記装飾物を保持する保持手段を備えた装飾機能付きシート状案内表示物において、１以上の前記シート部材を備え、該シート部材は、２以上の構成で前記シート部材の一辺が係止されていることによるか、あるいは、１以上で湾曲あるいは、屈曲されていることにより、２方向以上に表示可能な該シート部材が１以上のスリット及び背面に１以上の前記装飾物保持部材を設けた手段を採用することもできる。
【００２９】
また、前記スリットの形状が、曲線形状あるいは折れ線形状であるという手段を採用することもできる。
【００３０】
また本発明は、シート部材が有機ＥＬや無機ＥＬのＥＬディスプレイであるという手段を取ることもでき、また、前記スリットを設けられる部分が、設けられた各画素毎の発光素子に対して、防水、防気されているという手段を取ることもできる。また、スリットを設けても良い場所をラインや凹条やミシン目などで示しておくという手段を取ることもできる。尚、ＥＬディスプレイは、他のスリット加工が可能なディスプレイでも良く、その種類を問わない。
【００３１】
また、本発明は、装飾物保持部材が、弾性または発泡性樹脂の充填剤であるという手段を採用することもできる。
【００３２】
また、本発明は、スリットが、２以上のシート部材によって形成されるという手段を採用することもできる。
【００３３】
また、本発明は、スリットが、２以上のシート部材によって形成された２以上のシート部材の任意の位置において、点あるいは直線あるいは曲線あるいは面の単独あるいは組み合わせで任意の位置及び方向及び形状に互いに貼着されるという手段を採用することもできる。
【００３４】
また本発明は、前記装飾物保持部材と、前記シート部材と前記スリットに挿通した前記装飾物との３要素が関わり合う構成である三相互保持構造により保持され、前記三相互保持構造の、前記装飾物と係止された前記装飾物保持部材が、シート部材への穿通部材、またはシート部材との挟み込み部材、又は、スリットよりサイズの大きい抜け止め部材、又は、粘着部材であるという手段を採用することもできる。
【００３５】
また、本発明は、前記何れかに記載された手段により製造される構成の表示物とすることもできる。  
【発明の効果】
【００３６】
本発明に係る装飾機能付きシート状案内表示物及びその製造方法によれば、映像に表示される広告や宣伝のための文字、或いは図柄などのデザインの邪魔をすることなく、且つ、係る映像によって表示される文字や内容の中で、特に強調したい部分を立体的な装飾アイテムを用いて注意を引き、多くの看板や案内が氾濫する街中においても、差別化された目を引く電子看板として、例えば花やお洒落な雑貨等による自由な装飾が可能であり、お洒落で独創的な電子看板あるいは案内としてより目を引き機能するという優れた効果を奏するものである。
【００３７】
また、本発明に係る装飾機能付きシート状案内表示物及びその製造方法によれば、素材のすべてが可撓性を有する素材で構成されていることから、多様な物品の形状に対応して装着できるという優れた効果を発揮するものである。
【００３８】
また、本発明に係る装飾機能付きシート状案内表示物及びその製造方法によれば、構成部材が極めて少なく、また少ない工程で製作が可能なため、コストを抑えることが可能となるといった優れた効果を発揮するものである。
【００３９】
また、本発明に係る装飾機能付きシート状案内表示物及びその製造方法によれば、装飾物に立体的な小物等を用いることとなり、従来の平面的な表示物では注意を惹くことができなかった側方からの係る小物等を目視でき、広告媒体内における任意の特定の位置に表示される文言に注目を集め、広告媒体として看者の注目度を高める優れた効果を発揮するものである。
【図面の簡単な説明】
【００４０】
【図１】本発明に係る基本構成を説明する構成説明図
【図２】本発明に係る実際の使用実施例で装飾物によって装飾した実施例説明図
【図３】本発明に係る主に吊設、架設の各種実施例説明図
【図４】本発明に係る主に吊設、架設の各種実施例説明図
【図５】本発明に係る主に穴部材の多穴部材の実施例説明図
【図６】本発明に係る主に弾性挟持部材の実施例説明図
【図７】本発明に係る主に弾性挟持部材の実施例説明図
【図８】本発明に係る主に穿通可能材２４の実施例説明図
【図９】本発明に係る主に段差付材の実施例説明図
【図１０】本発明に係る主に掛着部材の実施例説明図
【図１１】本発明に係る主に重複シート任意形状貼着の実施例説明図
【図１２】本発明に係る主に２方向以上に表示可能の実施例説明図
【図１３】本発明に係る主に２以上の装飾物保持部材の実施例説明図
【図１４】本発明に係る主に保護部材の実施例説明図
【図１５】本発明に係る主に２枚のシート部材によるスリットの実施例説明図
【図１６】本発明に係る主に装飾物の抜け止めの実施例説明図
【発明を実施するための形態】
【００４１】
本発明に係る装飾機能付きシート状案内表示物の製造方法１は、全部又は一部を表示可能領域１１とする可撓性を有するシート状表示物であって、シート部材１０と、該シート部材１０の表示可能領域１１の強調したい表示エリアの任意の位置へ、少なくとも１以上のスリット２０を備え、前記シート部材１０は、その位置を保持する支持材２３に設けられ、前記スリットは開口部であって、前記シート部材に装飾物Ｓを挿通させる際に開口する挿通穴２１となり、前記シート部材１０の任意の位置に任意のサイズで少なくとも１以上を設けられたスリットの穴であり、その裏面には該スリット２０の位置に対応して装飾物保持部材３０を設けることにより、前記シート部材１０の表面側からスリット２０を介して装飾物保持部材３０で装飾物Ｓを保持させることにより装飾機能を備えることを可能とする方法であることを最大の特徴とするものである。以下、図面に基づいて本発明を説明する。
【００４２】
図１は、本発明に係る装飾機能付きシート状案内表示物の製造方法１の基本構成を説明する構成説明図である。図１（ａ）、図１（ｂ）は、本発明に係る装飾機能付きシート状案内表示物２の平面図であり、図１（ｃ）、図１（ｄ）は、断面図である。図１に示す通り、本発明に係る装飾機能付きシート状案内表示物の製造方法１により製造され、又は製造されるシート状案内表示物の表示物は、案内板や看板と同様な表示可能領域１１を有する表示物に、少なくとも１以上のスリット２０を設け、該スリット２０に対応する位置に装飾物保持部材３０を備える方法により、看板や案内板としての機能を損なわない任意の強調したい位置に、装飾機能を発揮させる構成であることを示している。
【００４３】
また、シート部材１０は、切り込み可能のシート部材であれば、特に限定されるものではなく、有機ＥＬシート等のＥＬシートに代表される切り込み可能な電子表示物でもよい。なお、ＥＬシートは電圧を加えることで発光する特性を有し、全面に文字や画像等を表示することができるため、シート部材１０として利用することができる。また、ＥＬシートは、可撓性を有するため角度を変えて表示することも可能であり、全体の表示のみならず、部分的に分割してそれぞれ独立した領域毎に異なる方向に向かって動画等の映像を表示することも可能となる。但し、スリット２０を設けると、各画素毎に発光素子が構成されているため、これを切断してしまうと、所定の領域の表示機能を失うこととなる。そこで、スリット２０を設ける際には十分に注意し、スリット２０を設ける位置を正確に特定して行うことが必要である。
また、該スリット２０は、後から設けても良いし、あらかじめシート部材の製造段階で設けても良い。使用用途や装飾物Ｓによっては、耐水性や強度に優れた素材で背面等を保護されることが望ましい。
【００４４】
表示可能領域１１は、シート部材１０の表面に広告等の情報を表示する部分であり、基本的な構成としてはシート部材１０の表示側全面をその領域とすることとなる。
【００４５】
スリット２０は、シート部材１０に設けられる挿通穴２１であって、装飾物Ｓを表示可能領域１１側から背面の装飾物保持部材３０へ保持するための開口部となり、複数設けて汎用性を高める構成とした場合であって、一部のスリット２０しか使用しない場合でも、スリット２０は可能な限り隙間が空かないようにすることで、表示可能領域１１の機能を妨げない構成とすることができる。尚、図１（ｄ）の様に、上側と下側のスリット２０部における段差による隙間から装飾物Ｓが挿通されることも可能である。また、図１（ｂ）の様にスリット２０を例えばコの字形状に入れることによって、窓の様に開閉可能となる為、より多くの、あるいは、より太さのある装飾物Ｓを配置可能で、またその太さにより開口量の調整が可能となり、また、コの字周辺からも、装飾物Ｓを出す様にでき、つまり、図２にも示されているように、強調したい文字等の周辺から囲うように強調でき、且つ、装飾物Ｓを入れない時は、窓を閉じて開口部を閉じることができる。本実施例においては、スリット形状は、一の字、コの字、エの字、Ｕの字形状等であるが、その他、波型、Ｖ字、Ｗ字、Ｔ字、Ｙ字等、その他、本発明の技術的思想の範囲内、即ち、同一の作用効果を発揮できる範囲内でスリットの形状は変更することができるものである。また、必要に応じてスリット２０には任意の幅を持たせることも可能である。また、必要に応じてスリット２０には任意の幅を持たせることも可能である。
【００４６】
なお、スリット２０の配置構成は任意に配置することができ、あらかじめ多数配置しておくことも可能であるし、必要となる箇所のみに設けることも可能である。
あらかじめ多数配置しておくと、どこにでも装飾機能の発揮を可能とする汎用性の優れた実施例となり、また、係る構成に限定されるものではなく、例えば、強調したい言葉の表示部分にスリット２０を配置し、より目を引くようにして、広告効果を高めることも有効である。あるいは、四隅や縁部のみにスリット２０を配置し、できるだけ表示可能領域１１の表示領域を妨げない構成とする態様も有効である。逆に、シート部材１０を埋め尽くすほどの数を設け、装飾の自由度を高めることも有効である。
【００４７】
装飾物保持部材３０は、シート部材１０に配置されるスリット２０の位置に対応して表示可能領域１１側の背面側に設けられる装飾物Ｓを保持するための部材である。係る装飾物保持部材３０の数、大きさ、或いは形状については特に特定した場合を除き限定されるものではなく、例えば、小さい装飾物保持部材３０を大きい装飾物保持部材３０で重畳的に覆う構成であったり、かわいらしい形の形状とするなど、自由にシート部材１０の裏面に形成すればよい。また、装飾物保持部材３０は、装飾物Ｓを表示可能領域１１上において、上下左右と表示面垂直方向の自由な方向から装飾することによって、特定の文字の強調等により大きな広告、案内を強調できる役割を果たす。
【００４８】
例えば、該装飾物保持部材３０はその種類を問わず、紐でもボルトナットでも磁石３９でも面ファスナーでもリングでも筒状部材でも紐でも面ファスナーでも針金でも粘着テープでも輪ゴムでもリベットでもステープラでも縫製でも融着でも固着でも、装飾物Ｓを保持可能な部材、方法であればその種類は問わない。
【００４９】
また、装飾物Ｓは、本発明に係る装飾機能を発揮させるための物品等であり、通常の看板等の表示物に描く図柄や文字等の情報伝達手段とは異なる新たな装飾機能を発揮させるものである。例えば、表示可能領域１１に表示された場合、動物病院の名称を目立たせるための装飾として、その前後に犬と猫のそれぞれのぬいぐるみを配置する場合などである。
【００５０】
図２は、本発明に係る装飾機能付きシート状案内表示物２を装飾物Ｓによって装飾した実施例であり、図２（ａ）は、画面表示も装飾物Ｓも無い状態で、スリット２０のみがシート部材１０に設けられている実施例であり、図２（ｂ）から図２（ｄ）は、この装飾機能付きシート状案内表示物２を実際に装飾物Ｓによって装飾した実施例である。
【００５１】
図２（ａ）に示す実施例では、シート部材１０に複数のスリット２０が設けられており、あらかじめ強調したい表示エリアを強調するように設けられている。
【００５２】
図２（ｂ）は、日曜日のお得情報！、図２（ｃ）は日曜日のおすすめ！としてＬＥＤ表示器で、表示が切り替わる様子の実施例を示しており、図２（ｄ）においては、月曜日のおすすめ！として、日が変わったところで、装飾物Ｓを変えた実施例を示しており、その位置と数も変更することが可能であることを示している実施例である。このように、強調して見てもらいたい部分を立体的に、シート部材１０でも電子画面上でも、目立たせることによって、見てもらう頻度と強さを高めることができる。この実施例に示す様に、例えば、月曜日のおすすめが餃子であれば、餃子の装飾物Ｓを差し替えて、平面的な表示部に、立体的な装飾物でその内容を強調して目を引くようなこともできる。
【００５３】
また、曲線の右下部の逆Ｕの字形状のスリット２０部においては、Ｕの字状の全辺部から、装飾物Ｓを設けて装飾でき、その部分の目を引くことができ、案内効果を高めて有用である。
【００５４】
その他、例えば、緑の多いレストランなどで、画像に森の風景も映しながら、木の装飾物Ｓを合わせて配置することによって、画像と立体で店頭にてその店の特長をアピールして目を引く効果で集客に繋げることも期待できる。
【００５５】
図３及び図４は、シート部材１０の位置を保持する機能を有する支持材２３または支持材２３と係止されている固定材から、装飾物Ｓまたは装飾物保持部材30が吊設または架設される場合において、各種装飾物保持部材30が吊設または架設されている実施例を示しており、図３はシート部材１０の背面から見た各種実施例の外観図、図４は各種実施例の横からの断面図を示している。
【００５６】
本仕様において、装飾物Ｓが支持材２３または支持材２３と係止されている固定材から吊設または架設されていることにより、装飾物Ｓの重量を支持材２３で受けることにより、シート部材１０への装飾物Ｓの重量は大きく軽減される効果が高い。また、シート部材１０と一体構造ではない為、装飾物保持部に膨らみがあっても、その形状がシート部材１０を変形することを防止できる。例えば、装飾物Ｓが花の場合にも有効である。また、装飾物Ｓの位置も上下左右に自由に移動して設定できるという点においても装飾物Ｓの配置に自由度があり、有用である。また、図４（ｃ）の実施例の様に、吊設の場合、スリット２０の付近へのガイドや位置決め部材を用いても良い。
【００５７】
また、吊設、架設の部材は、可撓性のある紐状、シート状、あるいは、鉄等の金属でも良く、支持材２３を左右に移動できるようにして、そこにボルト等で、装飾物Ｓを係止し、１以上の関節を備えたアームで方向を変えるような構成にしても良い。
【００５８】
図３（ａ）は４種類の装飾物保持部材30の実施例であり、一番右が、穴部４５を設けられた穴部材３７としての貫通筒材３３。右から２番目が複数の穴部４５を有した多穴部材３６。一番左が開口部が１で貫通していない筒状体である非貫通筒材３１。左から２番目が紐８０または面ファスナー８１である。
【００５９】
貫通筒材３３は、シート部材１０に設けられた挿通穴２１であるスリット２０を挿通された装飾物Ｓが、貫通筒材３３の上側の開口部からも下側の開口部からも装飾物Ｓを挿入して保持することができる。下から挿入する際には、挿通され、上側の開口部から出たところで、装飾物Ｓを例えば曲折したり、抜け止め部材を付けることによって抜け止めとして保持できる。また、図４（ｃ）に示される様に、貫通筒材３３を斜めに吊れば、斜めに、装飾物Ｓを保持できる。また、貫通筒材３３は、軟質チューブの仕様でも良く、その場合は、挿入状態でチューブごと装飾物の挿入部を曲折することによって抵抗が増え、抜け止めにもなる。
【００６０】
多穴部材３６の仕様においては、好きな方向からスリット２０に向けて、装飾物Ｓを引掛けて保持することができる。非貫通筒材３１は、筒の奥で突き当てて保持できる。また、その方向も色々変えて装飾物Ｓの方向を変えることもできる。紐や面ファスナーの仕様においては、結束による保持、また、面ファスナーであれば、面ファスナーで巻いて保持しても良いし、面ファスナーを設けられた装飾物Ｓと、結合させる構成も有効である。いずれの装飾物保持部材３０においても、支持材２３から吊設または架設されているので、比較的装飾物Ｓの重量の選択の幅が広くなる。また、貫通筒材３３あるいは非貫通筒材３１の材質は、金属や樹脂のような硬質系でも良いし、ゴムや生地のような軟質系でも、筒状であれば、その素材は問わない。また、多穴部材３６の材質についても金属や樹脂や木のような硬質系でも良いし、同様に硬質系や紐状体により構成される網状でも良く、複数の穴の開いた構成であれば、その素材やサイズは問わない。また、穴深さも必要に応じて、深くても良いし、浅くても良い。穴深さが深ければ、挿入するだけで方向性をしっかり出して装飾物Ｓを保持できるし、浅ければ、より自由に、色々な方向に向けて装飾物Ｓを保持しやすくなる。また、２つの多穴部材３６を図１３（ｄ）に示されるように、少し距離を置いて配置し、２つの多穴部材３６に装飾物Ｓを架設する構成として、シート部材１０表示面垂直方向で角度を自由度高く調整して装飾できる構成としても良い。また、穴に挿入した装飾物には、抜け止めを設けても良く、例えば、ねじ構造で止めても良い。
【００６１】
図３（ｂ）は装飾物保持部材30を装着する保持部装着材３５あるいは装飾物保持部材30そのものが支持材２３に吊設または架設された３種類の実施例であり、右と左は吊設の実施例であり、それぞれ下端におもり３８が吊設されており、中央は架設の実施例である。右二つのそれぞれには、特に具体的な装飾物保持部材30は図示しておらず、例えば、保持部装着材３５としては、図４（ｄ）に示されるようなリング状部材４４のような穴部材３７等、何らかの装飾物保持部材を設けても良いし、これ自体が装飾物保持部材として、鉄や磁石３９等、磁力で保持できる仕様としても良いし、面ファスナーとしても良い。また、おもり３８の部分を磁石３９や鉄としても良い。
【００６２】
一番左の実施例の様に、止め部３４を複数設け、装飾物Ｓの保持部の形状を二股以上のフォーク型にして、保持部装着材３５を該フォーク部で挟み込んで、止め部３４で止まる様にしても良い。また、装飾物Ｓを直接支持材２３から吊設するようにしても良い。
【００６３】
図４（ａ）から図４（ｃ）は、それぞれ、筒状体部材である貫通筒材３３あるいは非貫通筒材３１を吊設または架設した実施例の断面図である。図４（ａ）は架設された保持部装着材３５に、貫通筒材３３と非貫通筒材３１が交互に４つ係止されている実施例である。図４（ｂ）は。筒状体部材である貫通筒材３３が吊設された実施例である。図４（ｃ）は貫通筒材３３が斜めに吊設された実施例である。該実施例は、貫通筒材33の前方部と後方部をそれぞれ支持材２３に吊設しており、本実施例の場合、後方部係止部４３を上下左右に振ることによって、装飾物Ｓの方向を上下左右と、更に面直方向にも自由に変更することが可能である。このように、支持材２３から装飾物保持部材３０を吊設することによって、装飾物Ｓの重量制限の自由度と方向の自由度の両方がより満足される構成となっており、有用である。
【００６４】
尚、該筒状体は、貫通穴でも、貫通していなくても良い。また、本実施例においては、該筒状体の開口部の位置ずれ防止のガイドの位置ずれ防止具４０を該スリット２０開口部近辺に設けている。
【００６５】
図４（ｄ）は、装飾物保持部材３０が穴部材３７であるリング状部材４４である実施例であり、該リング状部材４４に、装飾物Ｓを引掛けて保持する実施例である。
【００６６】
図４（ｅ）は、装飾物保持部材３０にファスナー７０を用いた実施例で、係るファスナー７０に用いられるスライダー７１を操作することによって任意の位置にファスナー開口部７２を設け、該ファスナー開口部７２をスリット２０及び挿通穴２１として利用する構成である。係る構成において、挿通穴２１に挿通された装飾物Ｓは、両側からスライダー７１によって挟持するものである。また、係る構成では、ファスナー７０の長手方向に多数のスライダー７１を設けることにより、複数のスリット２０並びに挿通穴２１を創出させることが可能である。
【００６７】
係る構成では、スライダー７１の位置を変化させることができるため、装飾物Ｓの装着位置を該スライダー７１の移動にともなって、ファスナー７０の長手方向に移動することが可能である。また、装飾物Ｓの大きさが変化してもスライダー７１の距離を調整することで対応可能となっている。
【００６８】
また、係るスライダー７１には、更に装飾物保持部材３０を設ける構成としても良い。係る構成によれば、スライダー７１に設けられた装飾物保持部材３０がスライダー７１を移動させることによって、装飾物保持部材３０の位置も自由にファスナー７０の長手方向を移動することが可能である。例えば、該スライダー７１に設ける装飾物保持部材３０はその種類を問わず、紐でもボルトナットでも磁石３９でも面ファスナーでもリングでも筒状部材でも紐でも面ファスナーでも針金でも粘着テープでも輪ゴムでもリベットでもステープラでも縫製でも融着でも固着でも、装飾物Ｓを保持可能な部材、方法であればその種類は問わない。
【００６９】
ファスナー７０は、一般に衣服等に使用されている金属製又は樹脂製の開閉部材として用いられているものを利用すればよく、特に種類や構造等について限定されるものではなく、スライダー７１を移動することで布状の部材を分割・結合・部分開口等できるものであればよい。
【００７０】
スライダー７１は、ファスナー７０の結合の状態を操作する部材であり、本発明においては二つのスライダー７１があれば自由な位置にファスナー開口部７２を設けることが可能となる。また、スライダー７１を多数用いて一つのファスナー７０に複数のスライダー７１開口部７２を設けることも可能である。
【００７１】
ファスナー開口部７２は、スライダー７１を操作することによってファスナー７０に創出されるスリット２０であり、二つのスライダー７１で装飾物Ｓを挟み込むことで、シート部材１０に保持することを可能とするものである。
【００７２】
図４（ｆ）は貫通筒材３３が吊設され、係る貫通筒材３３の側面部に設けられたスリットである第２スリット６４が設けられており、シート部材１０に設けられたスリット２０に合わせた位置に設けられた第２スリット６４と、装飾物Ｓを向けたい方向に対向した位置に設けられたもう一つの第２スリット６４に装飾物Ｓが挿通され、係る装飾物Ｓが、上下左右任意の方向に向けて装飾可能である実施例である。係る実施例の様に、対向した位置にスリットを設けることにより、装飾物の方向を自由に設定できる為、有用である。尚、装飾物Ｓの方向によっては、本実施例において設けられている対向した位置のもう一つの第２スリット６４は無くても、係る貫通筒材３３の対向した面に突き当たることにより、装飾物Ｓを保持することもできる。尚、該筒状体は、貫通穴でも、貫通していなくても良いし、材質については、可撓性のあるシート状でもゴム製でも、その他、本発明の技術的思想の範囲内、即ち、同一の作用効果を発揮できる範囲内で変更することができるものである。
【００７３】
図５は、複数の穴部４５を有した穴部材３７である多穴部材３６の実施例であり、図５（ａ）はその外観図で、図５（ｂ）と図５（ｃ）は断面図である。図５（ａ）の多穴部材３６の実施例は、シート部材１０の背面全体に、係る多穴部材３６が支持材２３から吊設されて設けられた実施例である。本実施例においては、シート部材１０のどこにスリット２０を設けても、装飾物Ｓは背面の多穴部材３６にて保持可能である。図５（ｂ）の様に、多穴部材３６に装飾物Ｓを引掛けても良いし、図５（ｃ）のように多穴部材３６に、装飾物Ｓを絡ませて保持しても良い。また、多穴部材３６の穴の形状、サイズについても、四角でも良いし、丸でも良いしその形状は問わず、またその材質、穴個数、穴深さは問わない。
【００７４】
例えば、材質については、ゴム系の比較的柔軟性と摩擦力のある穴であれば、該穴に嵌め込んでその摩擦力と挟持力や抜け止めで保持しても良いし、金属のようなしっかりした材質にがっちり止めても良いし、紐状体の網状であれば、薄く軽く手軽でその穴に引掛けても良く、穴の深さについては、深ければ、該穴に装飾物Ｓを挿入することによって、装飾物Ｓの方向がよりしっかりと安定させることができるし、浅ければ、装飾物保持部材３０自体を軽量化できるとともに、装飾物Ｓの装飾方向の自由度がまし、また、多穴部材３６への保持方法は、図面には示していないが、穴への篏合形状にしても良いし、穴に引掛けても良いし、ねじ構造を利用して保持する構成としても良い。特に、網状の多穴部材３６の構成は、軽くて装飾の方向性も上下左右と自由度も高く、手軽に装飾が可能で、有用である。
【００７５】
図６は、シート部材１０の背面に設けた弾性挟持部材６３が、弾性力あるいは高摩擦力のある材料を用いた弾性挟持部材６３が備えた第２スリットに、装飾物Ｓを挿入して該装飾物Ｓを保持する構成の内、係る弾性力あるいは高摩擦力のある材料に切り込みを入れて第２スリットを設けた実施例であり、図６（ａ）及び図６（ｂ）はその実施例の断面図である。また、図６（ｃ）は、シート部材１０が、弾性挟持部材６３である実施例の断面図である。
【００７６】
図６（ａ）の実施例においては、シート部材１０の背面に、弾性力あるいは高摩擦力のある材料である弾性挟持部材６３が備えられており、係るシート部材１０に設けられた３か所のスリット２０の位置に対応して、係る弾性挟持部材６３にも第２のスリットである、第２スリット６４が３か所設けられた構成となっており、この第２スリット６４に、シート部材１０のスリット２０を挿通した装飾物Ｓが、挿入されることにより、摩擦力と挟持力にて保持される構成となっている。上記３か所のスリット２０の内、真ん中の第２スリット６４はシート部材１０の面を鉛直面とすると、略水平に設けられており、挿入された装飾物Ｓも略水平面方向で保持できる実施例である。下側の第２スリット６４は、シート部材１０の面に対して、斜め上方に向けて方向に設けられており、斜め上方に向けて、装飾物Ｓを保持できる構成である。また、上側の第２スリット６４は、第２スリット６４の開口部をやや広く設けられており、挿入しやすくなっている。
【００７７】
本実施例によれば、シート部材１０の背面の全面的に係る材料を設けておくことによって、シート部材１０の任意の場所に、任意の方向に任意の深さでスリット２０及び第２スリット６４を容易に設けることが可能で、任意の方向に装飾物を保持することが可能である。尚、図６（ａ）の第２スリット６４は、端まで貫通したスリットとなっているが、貫通していない構成とすることもできる。また、係る弾性力あるいは高摩擦力のある材料である弾性挟持部材６３からなる弾性挟持部材６３は、図６（ｂ）に示されるように、シート部材１０の背面に直接密着、あるいは貼着する構成とすることもできる。密着、あるいは貼着させることによって、シート部材１０に設けたスリット２０と弾性挟持部材６３に設けた第２スリット６４の位置がずれ難く、装飾物Ｓを挿入しやすくなり、有用である。
【００７８】
図６（ｃ）は、シート部材１０が、弾性挟持部材６３である実施例の断面図で、弾性挟持部材６３に表示可能領域を有し、係る弾性挟持部材の任意の位置に、スリット２０を設け、該スリット２０に装飾物Ｓを挿入することによって摩擦力と挟持力にて保持される構成となっている。
【００７９】
本実施例においては、スリット２０が弾性挟持部材に設けられている為、装飾物Ｓを装着していない時は、スリット２０が閉じ、より目立ち難いという効果がある。その一方で、印刷が難しい、他の広告案内への掛け替えができず、弾性挟持部材ごと変えなければならないという点があり、別体のシート部材であれば、掛け替えもでき、印刷も容易で、より大きな印刷にも対応可能であり、それぞれの長所、短所で使い分けることができる。
【００８０】
図７について、図７（ａ）から図７（ｅ）は、シート部材１０の背面に設けた弾性挟持部材６３が、弾性力あるいは高摩擦力のある材料を用いた弾性挟持部材６３の備えた第２スリット６４に、装飾物Ｓを挿入して該装飾物Ｓを保持する構成の内、係る弾性力あるいは高摩擦力のある材料を重ねることにより、第２スリット６４を設けた実施例である。
【００８１】
図７（ａ）の実施例においては、弾性挟持部材６３の構成が、２つの弾性力あるいは高摩擦力のある材料を重複して第２スリット６４を形成し、その第２スリット６４に装飾物が挿入され、挟持される実施例である。本実施例においては、２枚の重複した係る部材の片方は、弾性力や摩擦力が低い素材を用いても良い。また、必要に応じて、素材の弾性力を利用した、クリップのような構造の弾性挟持部材６３を使用しても良い。本実施例の場合は、係る弾性挟持部材６３を、例えば、図面には示していないが、支持材２３から吊設された保持部装着材３５に係止するなど、他の位置決めをできる部材に係止する必要がある。また、例えば、シート部材１０の係るスリット２０付近に直接係着するという構成とすることもできる。
【００８２】
図７（ｂ）から図７（ｅ）については、３以上の弾性力あるいは高摩擦力のある材料を重複して第２スリット６４を形成する実施例である。
図７（ｂ）は、弾性力あるいは高摩擦力のある材料を重複させた実施例である。本実施例の場合、鉛直方向に重ねると、上の方と下の方と、重量やサイズによっては、重量の影響で挿入固さが変わる為、圧力が均等になる様に、支えを設ける等の構成にするか、横に並べて重ねる構成にしても良い。図７（ｃ）は一定の隙間を設けて弾性力あるいは高摩擦力のある材料を重複させた実施例である。本実施例においては、図７（ｂ）に記載した荷重がかかり過ぎる問題点は解消される。図７（ｄ）は、図７（ｃ）の実施例における弾性力あるいは高摩擦力のある材料の挿入面に、抜け止めあるいは、抵抗力をアップさせる為の凸部を設けた実施例である。係る凸部によって、装飾物の抜け止めにもなり、また、より薄い装飾物Ｓにも対応でき、有用である。尚、係る凸部の数は、本図においては、各挿入面の片側あたり１設けられているが、２以上でも良い。図７（ｅ）は、図７（ｃ）の実施例において、第２スリット６４の挿入入口を三角状にすることにより、挿入の際の誘いを設け、挿入時の引っ掛かりを改善し、有用である。
【００８３】
図７（ｆ）は、前記弾性挟持部材６３が、伸縮性のある材料の網状部材である多穴部材３６であり、係る穴部４５に抜け止めが設けられた、装飾物Ｓを挿入した実施例である。
【００８４】
尚、図６あるいは図７の実施例で示される弾性力あるいは高摩擦力のある弾性挟持部材６３の材料は、ゴム、ウレタン、シリコンゴム、エラストマー樹脂、発泡素材など、また、弾性力が優れた材料として、鉄等の金属、各種プラスチック、カーボン素材、木や竹等の植物、また、それらの組み合わせで構成されてもよく、また、重複させる弾性挟持部材６３の形状についても、シート状でも、ブロック形状でも円柱でも、多角形でも、凸条あるいは凹条のような凹凸のある板状材を重ねてもよく、その他、本発明の技術的思想の範囲内、即ち、同一の作用効果を発揮できる範囲内で変更することができるものである。尚、本発明における弾性力あるいは高摩擦力の程度は、挿入した装飾物が容易に抜けない落ちない程度が望ましく、その程度は、用途、目的、装飾物に応じて設定することが可能である。
【００８５】
図８は、図８（ａ）、図８（ｂ）、図８（ｄ）は、装飾物には穿通可能材２４を穿通し、刺入可能な刺入形状部２５が設けられており、装飾物保持部材３０が、前記刺入形状部２５により穿通可能な材質である穿通可能材２４からなる実施例である。シート部材１０の背面には穿通可能材２４が設けられ、刺入形状部２５を設けた装飾物が、シート部材１０に設けられたスリット２０を挿通し、シート部材１０の背面に設けられた穿通可能材２４を穿通することによって装飾物が保持される構成である。図８（ｄ）は、図８（ａ）の実施例における穿通可能材２４が、多穴部材３６で保持されている実施例である。係る穿通可能材２４に用いられる材質によっては、このような穿通可能材２４の保持部材を用いることも有用であり、例えば、布重ね、柔らかい発泡部材、ミズゴケ、毛糸等の繊維状の材質を崩れないように押しつけつつ、形状を維持することができる。花を植えても良い。図８（ｃ）は、装飾物に刺入れ形状が設けられた実施例である。尚、図８の実施例で示される穿通可能材２４の材料は、発泡ウレタン、発泡フェノール樹脂、発泡スチロール等の発泡樹脂やエラストマープラスチック、各種ゴム類、コルク等の木、皮革、繊維素材等、その他、本発明の技術的思想の範囲内、即ち、穿通可能で保持力において、同一の作用効果を発揮できる範囲内で変更することができるものである。
【００８６】
図９は、装飾物保持部材３０が、段差を設けられた段差付材９１である実施例であり、図９（ａ）は断面図、図９（ｂ）は部分断面斜視図である。係る段差部には、必要に応じて引掛け部９２あるいは横ずれ防止部９３が設けられており、シート部材１０に設けられたスリット２０を挿通した装飾物Ｓが、該段差付材９１の段差部へ載置または該段差付材９１の引掛け部９２へ引掛けられることにより、上下左右方向から、装飾できる実施例である。
【００８７】
図９（ａ）においては、上方からと下方からと、２の装飾物Ｓがシート部材１０に設けられたスリット２０を挿通し、上側からの装飾物Ｓは段差付材９１の上部に載置される形で保持され、下側からの装飾物Ｓは段差付材９１に設けられた引掛け部９２に引掛けられて保持されている実施例である。図９（ｂ）においては、係る段差付材９１に設けられた、横ずれ防止部が設けられており、係る横ずれ防止部において、段差付材９１へ上側から載置された装飾物あるいは、下側から引掛けられた装飾物の位置がずれ難くなっており、上方あるいは下方から、斜め方向に装飾したい場合に、係るずれ防止に装飾物が当たり、止まるので有用である。
【００８８】
尚、本実施例においては、段差付材９１の形状は、１の水平方向にまっすぐのＬ字状であるが、水平方向に直線状に真直ぐではなく、波形状、複数のＶ状により、横ずれ防止部としても良いし、高摩擦材にて横ずれ防止としても有用である。
【００８９】
図１０は装飾物保持部材３０としての、掛着部材１３及びカット掛着部１５を用いた実施例である。図１０（ａ）は、係る実施例の部分断面斜視図を示しており、カット掛着部１５と掛着部材１３の実施例で、左側がカット掛着部１５、右側が掛着部材１３である。
掛着部材１３はそれぞれ背面シート部材１００に小シートを２点の点貼着部１０１にて貼着した下側の掛着部材１３と、上側が２辺の辺貼着部１０２で小シートを貼着した右上側の掛着部材１３と３点の点貼着にて貼着した左側の掛着部材１３の実施例を示しており、下側の掛着部材１３においては、装飾物Ｓを係る掛着部材１３に引掛けて保持することができ、上と左側の掛着部材１３は、装飾物Ｓを挿通し、引掛けて保持することができる。
また、カット掛着部１５は、１本または２本のスリットを入れて引掛け部９２を設け、そこに、装飾物Ｓを引掛けて保持できる構成である。図１０（ｃ）はカット掛着部１５の実施例の断面図であり、２本の平行なカット部によって設けられた実施例であり、装飾物Ｓを、引掛けて保持する構成である。
【００９０】
図１０（ｂ）は、シート部材１０の表示可能領域１１側からの外観図の実施例であり、裏側に隠れた部分は破線で示しており、掛着部材１３及びカット掛着部１５のそれぞれに装飾物Ｓが設けられた実施例であり、シート部材１０に設けられた４か所のスリット２０から、５個の装飾物Ｓが設けられている。それぞれの装飾物Ｓは、シート部材１０に設けられたスリット２０から挿通され、背面に設けられた掛着部材１３に引掛けられて保持されているか、カット掛着部１５に挿入されて保持されている実施例を示している。掛着部材１３及びカット掛着部１５はそれぞれ、必要に応じて任意に配置可能で、上下左右どちらからでも装飾可能で、自由度が高い。尚、係る背面シート部材１００に設けられている掛着部材１３及びカット掛着部１５は、シート部材１０に相対するように配置しても良いし、反対側を向くように配置してもよく、反対側を向くように配置される場合には、シート部材１０のスリット２０に対応する位置に、背面シート部材１００のスリットである第２スリット６４を設ける必要があり、その場合、シート部材１０のスリット２０と第２スリット６４を挿通された装飾物Ｓが、掛着部材１３またはカット掛着部１５にて保持される。尚、掛着部材１３は、本実施例においては、貫通形状であるが、非貫通の形状としても良いし、掛着部材１３は、本実施例においては小シートを用いているが、紐状体を用いても良いし、掛着部材１３及びカット掛着部１５は、必要に応じて下向きでも横向きでも斜めでも良い。また、係る背面シート部材１００が支持材２３に設けられることにより、装飾物Ｓの重量やシート部材１０の背面での膨らみの影響が抑制され、有用である。
【００９１】
また、掛着部材１３の貼着方法は、接着剤によるものの他に、両面テープ、縫製、リベット、ステープラ、ピン止め、ビス止め、熱溶着、振動溶着、超音波溶着の他、本発明の技術的思想の範囲内、即ち、同一の作用効果を発揮できる範囲内で変更することができるものである。また、背面シートの代わりに、板状材を用いてそこに掛着部材１３を設けても良い。
【００９２】
また、掛着部材１３及び掛着挿入部材１５の貼着方法は、接着剤によるものの他に、両面テープ、縫製、リベット、ステープラ、ピン止め、ビス止め、熱溶着、振動溶着、超音波溶着の他、本発明の技術的思想の範囲内、即ち、同一の作用効果を発揮できる範囲内で変更することができるものである。
【００９３】
図１１は、シート部材１０の裏側に設けられた重複するシート同士を任意の位置で任意の形状で貼着することによって前後左右どの方向にでも、装飾物Ｓを保持する装飾物Ｓの保持部を創出する実施例であり、図１１（ａ）、図１１（ｂ）及び図１１（ｄ）は、重複する２枚のシート同士を貼着した部分でのシート面と平行の縦断面図であり、図１１（ｃ）はシート面と垂直の縦部分断面図であり、図１１（ｃ）の実施例に示されるように、重複する２枚のシート同士が部分的に貼着している。
【００９４】
図１１（ａ）は、係る重複する２枚のシート同士を貼着した部分である２シート貼着部１１０のパターンの実施例を示しており、６か所のスリットは、シート部材１０に設けられたスリット２０に対応した箇所に設けられた背面シート部材１００に設けられた第２スリット６４であり、係る第２スリット６４は、シート部材１０に設けられたスリット２０を挿通された装飾物が係る第２スリット６４を挿通して、２シート貼着部１１０による装飾物Ｓ保持部にセットされることによって、保持される構成となっている。
【００９５】
図１１（ｂ）は、図１１（ａ）における装飾物Ｓ保持部に、装飾物Ｓを配置した実施例である。尚、係る装飾物Ｓは、シート部材１０に設けられたスリット２０を挿通し、第２スリット６４から挿通され、装飾物が２シート貼着部１１０にて設けられた装飾物保持部にて保持されている実施例である。
【００９６】
係る実施例においては、点あるいは直線あるいは曲線あるいは面の単独あるいは組み合わせで任意の位置及び方向及び形状に互いに貼着することにより、引っ掛けあるいは、当接あるいは、挿入あるいは引掛けと挿入あるいは摩擦あるいは収納部を創出し、それぞれを任意の長さ、幅、方向で任意の保持機能を創出されている。
【００９７】
６か所のスリット２０において、最上部のスリットには、２の装飾物Ｓが配置されており、それぞれ、上方から吊設されるように装飾されており、この左側の装飾物Ｓは、略平行のＳ字形状の２シート貼着部１１０でできたＳ字の挿通部に挿通され、Ｓ字の曲げによる抵抗及び引掛りで保持されており、この右側の装飾物Ｓは、斜め上方に略平行に設けられた貼着部と突き当て部の貼着部で構成された挿通部に挿入され、突き当て部で曲げられて抜け防止となっている実施例である。左側のスリット２０にも、２の装飾物Ｓが配置されており、この左側の装飾物Ｓは下方から装飾されており、左側から斜め右下方向の２シート貼着部１１０で載置され、ずり落ちないように１のずれ落ち防止の点貼着部１０１と合わせて保持されており、この右側の上から吊設されている装飾物Ｓは、１の点貼着部１０１に引掛けて保持されている実施例である。
【００９８】
係る実施例においては、２枚のシートの自由な部分を貼着することにより装飾物保持部を創出することができる為、例えば、任意の形状やパターンの熱融着や振動溶着の冶具等で上から押し付けて貼着すれば、必要な２シート貼着部１１０を容易に、早く創出することができ、有用である。
【００９９】
また、図１１（ｄ）の実施例に示されるように、あらかじめ、多数の点貼着や線貼着等を設けておくことによって、どこにスリットを設けても、装飾物Ｓを保持できる構成としても、自由なスリット構成ができる。また、係る点貼着や線貼着によって、スリット２０に係る装飾物Ｓの荷重を分散でき、シートの引き攣れの緩和とともに、強度面でも有利に働き、それは材料の軽量化にも繋がり、そうした強度面や引き攣れ等も計算にして係る点貼着及び線貼着を設けても良く、自由度が高く加工でき、尚且つ保持部材の材料点数も少なく、製造コストも低く抑えられ、有用である。また、係る背面シート部材１００に、複数の小スリットを合わせて入れることによって、そこに、装飾物Ｓを引掛け、あるいは挿通して保持させる構成としても良い。また、係る貼着される２枚のシートは、２枚とも、表示部を有するシート部材１０でも良いし、貼着された２枚の背面シート部材を、２枚の表示部を有するシート部材１０で挟んでも良い。
【０１００】
背面シート部材１００は、可撓性を有した一枚の布状体であれば特に限定されるものではなく、布製、ビニール製、紙製等、透明、不透明或いは色彩なども限定されるものではない。
【０１０１】
図１２は、シート部材１０が、２方向以上に表示可能であり、１以上のスリット２０を備え、背面に１以上の装飾物保持部材３０を設けた実施例である。
【０１０２】
図１２（ａ）及び図１２（ｂ）は２つのシート部材１０が装飾物保持部材３０を２方向から挟んだ実施例である。例えば、のぼりなどは、通常１枚の生地に広告、案内を印刷して掲げているものが通常である。しかし、そうしたのぼりにおいても、強調したい文字等を自由に立体的に装飾して強調することによって、より、その部分に人目を引き広告、案内効果を高めることができる。２重構造にすることによって、内側の装飾物保持部材３０を隠すこともできるし、左右で別の内容の広告、案内を出せ、且つ、挟まれた一つの装飾物保持部材３０にて両方を装飾でき、有用である。
【０１０３】
また、のれんなども、同様に立体的な装飾物で装飾し、屋号や看板、案内等を装飾すれば、気持ちよくお客様に、表裏から通られるので、入出店時、お客様に楽しんでもらえる。日替わりで装飾等を変えることもでき、それが一つのお客様の楽しみになることも考えられる。
【０１０４】
また、有機ＥＬ等のＥＬ表示機器においても、店舗の前などでは、右からと左からの人の流れに対して両方に、より効果的に広告や案内表示をする必要があり、その為に電子画像と立体的な装飾物で目を引き、かつまた、装飾物保持材を２方向から挟むことによって、装飾物保持部材が隠れることとなるので、美観的にも良くなる。
【０１０５】
図１２（ａ）は網などの多穴部材３６をシート部材１０で挟んだ実施例であり、左右のシート部材１０に設けられたスリット２０に挿通された装飾物が、中央に設置された多穴部材３６にて保持された実施例である。また、図１２（ｂ）は、弾性挟持部材６３を。シート部材１０で挟んだ実施例であり、左右のシート部材１０に設けられたスリット２０に挿通された装飾物が、中央に設置された弾性挟持部材６３にて保持された実施例である。本実施例においては、２方向であるが、３方向以上の多方向でも良い。
【０１０６】
また、図１２（ｃ）がシート部材１０を丸く円筒状に湾曲した中に弾性挟持部材６３を挟み込んだ実施例であり、行き交う人に、シート状案内表示物表示部を備えた電子表示器も含めたシート状案内表示物と立体的な装飾で、３６０度から人の目を引き、広告、案内効果を高めることができ、有用である。
【０１０７】
図１２（ｄ）は、シート部材１０を円錐台筒状にした中に、弾性挟持部材６３を嵌め込んだ実施例である。係る実施例によれば、例えば、行き交う人々の目線より低い、あるいは高い位置に広告物や案内を設置する場合に、より目線に合う角度にシート部材の表示面を合わせて周囲全方向から見てもらいやすくなる。例えば、デパートやスーパーの天井等に設置すれば有用であり、装飾物Ｓは天井から吊設してもよい。可撓性のあるシート状の軽さと、曲面性を利用した仕様である。また、これは、角錘台筒状でも良い。
【０１０８】
図１３は、２以上の装飾物保持部材が設けられている実施例について、図１３（ａ）から１３（ｄ）は穴部材３７である多穴部材３６を使用した実施例である。
【０１０９】
図１３（ａ）はシート部材１０に設けられたスリット２０を挿通した装飾物が、面状の多穴部材３６を挿通し、もう一つの多穴部材３６との間で挟持された実施例である。図１３（ｂ）は、同様にスリット２０を挿通した装飾物が、面状の多穴部材３６を挿通し、板状の部材との間で挟持され多実施例である。図１３（ｃ）は、同様にスリット２０を挿通した装飾物が、弾性挟持部材６３との間で挟持され、該弾性挟持部材６３が、もう一つの多穴部材３６によって弾性挟持部材６３を上から抑えた実施例である。また、図１３（ｄ）は、シート部材１０に近接して設けられた面状の多穴部材３６が設けられており、装飾物がシート部材１０に設けられたスリット２０を挿通し、該穴部材３７を挿通してもう一つの多穴部材３６で保持されることを示した実施例である。図１３（ａ）から図１３（ｃ）に示されたこれらの実施例においては、２以上の装飾物保持部材が多穴部材３６を挿通した装飾物を挟持することによって、よりしっかりと、装飾物Ｓを保持することが可能となる。また、図１３（ｃ）の様に弾性のある摩擦材で押さえつけて挟み込むことにより、よりしっかりと保持され、多穴部材３６に引掛けたり絡めたりした上で、同様に挟持すると、更にしっかりと保持されることとなる。尚、この抑え込みは、クランプやねじ構造を利用する構造としても良い。
【０１１０】
また、図１３（ｄ）の様に、シート部材１０に近接して前記穴部材３７を設けることにより、シート部材１０のスリット２０部かかる装飾物Ｓの荷重を受けて、シート部材１０への負荷を軽減することができる。また、図１３（ｅ）は、同様にシート部材１０に近接して背面シート部材１００を設け、シート部材１０に設けられたスリット２０に対応した位置に、第２スリット６４を設けることによって、同様にシート部材１０のスリット２０部への負荷を軽減することができる。この場合の背面シートは、シート部材１０にかかる装飾物Ｓの荷重を支え受ける役割であるため、例えば、剛性や張力、横糸の入った素材や、図１３（ｄ）のような穴部材３７の網目構造で支えても良く、他にも該シート部材１０のスリット２０部への負荷を支えて軽減する素材、仕様で、本発明の技術的思想の範囲内、即ち、同一の作用効果を発揮できる範囲内で変更することができるものである。
【０１１１】
図１４はシート保護部材１５１の実施例である。シート部材１０を挿通された装飾物が、係るシート部材１０に密着または接着または近接したシート保護部材１５１も挿通し、装飾物保持部材３０にて保持されている実施例である。係るシート保護部材１５１は、装飾物Ｓをスリット２０を挿通させて装飾物保持部材３０にて保持するにあたり、シート部材１０に掛かる重量や傷から保護する部材となる。係るシート保護部材１５１の材質は、ビニルや樹脂やシリコンゴムなどのゴム系等の弾力のあるシート部材でも良いし、やや硬度の高いシート部材で装飾物Ｓの支えを助けるようなものでも良いし、多穴部材３６でも良く、その他、本発明の技術的思想の範囲内、即ち、同一の作用効果を発揮できる範囲内で変更することができるものである。
【０１１２】
図１５は２枚のシート部材によってスリット１０が設けられた実施例であり、係る２枚のシート部材は上側のシート部材Ｂ１５９と下側のシート部材Ａ１５８を構成し、それぞれのシート部材は、表示可能領域１１を有し、２枚のシート部材間を、点又は線又は面状に２シート貼着部を設けることによって、装飾物保持部材を形成し、また、１の掛着部材も設けており、それぞれが装飾物Ｓを保持するとともに、２シート間の位置を保持する機能を有する構成となっている。また、シート部材Ａ１５８あるいはシート部材Ｂ１５９にもスリット２０を設けても良い。
【０１１３】
係る実施例においては、スリット部を２枚のシート部材を重複して構成することによって、シート部材の強度が低下することなく、より広いエリアにスリット開口部を設けることができ、シート部材の係る装飾機能付きシート状案内表示物２の自由度が高まる構成とすることができる。
【０１１４】
また、本実施例においての装飾物保持部材は、２シート貼着部あるいは掛着部材であるが、係る装飾物保持部材は、例えば、摩擦力の強いシート部材を２枚のシート部材間に設けての摩擦力を用いる等、本発明の明細書に記載の他の装飾物保持の手段を用いても良いし、結束バンドを含む紐状体の結束力、磁石の磁力、又は面ファスナーの結合力、粘着テープの粘着力にて保持する構成としても良い。尚、２シート貼着部は、接着でも、粘着、縫製、溶着、鋲、リベット等でも良く、他にも、本発明の技術的思想の範囲内、即ち、同一の作用効果を発揮できる範囲内で変更することができるものである。
【０１１５】
また、前記装飾物保持部材が、弾性または発泡性樹脂の充填剤としても良く、係る実施例においては、必要に応じて、面全体的に充填するようにしても良いし、スリットの裏付近だけでも良い。尚、係る樹脂の充填は、充填をしてからスリットを設けても良いが、スリットのある状態で充填の際には、スリット部から漏れ出ないようにテープ等で目張りをしてから充填するのが望ましい。
係る弾性または発泡性樹脂の構成によると、装飾物も複数回取り換えも可能であり、有用である。
また、例えば、特に２枚のシート部材間に充填することにより、装飾物保持機能と合わせて、形状も作ることもでき、また、特に発泡性樹脂の場合は、重量的にも比較的軽量で、こうしたシート状看板にとって、好適である。
【０１１６】
係る弾性または発泡性樹脂の充填剤としては、例えば、シリコーン系樹脂、エポキシ系樹脂、ウレタン系樹脂等があり、他にも、本発明の技術的思想の範囲内、即ち、同一の作用効果を発揮できる範囲内で変更することができるものである。
また、本発明における装飾物Ｓは、電力や風力、油圧、空気圧で動いても良いし、光っても良いし、色彩も透明、蛍光色、不透明でも良い。
【０１１７】
図１６は、装飾物保持部材３０と、前記シート部材１０と前記スリットに挿通した前記装飾物Ｓとの３要素が関わり合う構成である三相互保持構造により保持される実施例である。
図１６（ａ）は、表示可能領域１１が下方を向いたシート部材１０に設けられたスリットを挿通した装飾物Ｓに設けられたスリット２０よりサイズの大きい抜け止め部材１６９がシート部材の背面に配置され、係る装飾物Ｓがシート部材１０に保持された実施例である。
図１６（ｂ）は、表示可能領域１１が下方を向いたシート部材１０に設けられたスリットを挿通した装飾物Ｓに設けられたスリット２０よりサイズの大きい抜け止め部材１６９がシート部材の前面に配置され、係る装飾物Ｓがシート部材１０に保持された実施例である。
図１６（ｃ）は、前記抜け止め部材１６９が１以上の刺入形状部２５を設け、シート部材１０に穿通された実施例である。係る実施例によれば、スリット挿通部と合わせて、シート部材１０に挿通された刺入形状部２５によっても保持され、より安定して保持することが可能である。尚、刺し入れ形状部２５は、装飾物Ｓと一体となっていても良い。
図１６（ｄ）は、シート部材１０のスリット２０を挿通した装飾物Ｓが、シート部材１０の表裏の両側から係るシート部材１０を抜け止め部材１６９で挟み込んで保持された実施例である。また、図１６（ｅ）の様に、表裏の抜け止め部材１６９が、互いに係止できるようにしても良い。
図１６（ｆ）は、シート部材１０とスリット２０と貫通可能材２４と抜け止め部材１６９と装飾物Ｓからなる実施例であり、シート部材１０の裏面に設けられた貫通可能材２４に、シート部材１０に設けられたスリット２０を貫通した刺入形状部２５が貫通可能材２４を穿通し、装飾物Ｓが保持されている。
【０１１８】
また、図１６における装飾物Ｓと抜け止め部材１６９の係止は、紐ホルダーのようなものでも良いし、接着でも、結束でも、穴部挿入での係止でも、他にも、本発明の技術的思想の範囲内、即ち、同一の作用効果を発揮できる範囲内で変更することができるものである。
【産業上の利用可能性】
【０１１９】
本発明は、有機ＥＬや無機ＥＬの種類があるシート状案内表示物からなる案内表示物への装飾が自由にできることから、従来できなかった新たな装飾機能が発揮でき、飲食店や各種イベントの看板や案内として広く利用でき、装飾者の個性を発揮することを可能とする魅力的な発明品となり、産業上利用可能性は極めて高いと思慮されるものである。
【符号の説明】
【０１２０】
１    装飾機能付きシート状案内表示物の製造方法
２    装飾機能付きシート状案内表示物
１０  シート部材
１１  表示可能領域
１３  掛着部材
１５  カット掛着部材
２０  スリット
２１  挿通穴
２３  支持材
２４  穿通可能材２４
２５  刺入形状部２５
３０  装飾物保持部材
３１  非貫通筒材
３３  貫通筒材
３４  止め部
３５  保持部装着材
３６  多穴部材
３７  穴部材
３８  おもり
３９  磁石
４０  位置ずれ防止具
４３  後方部係止部
４４  リング状部材
４５  穴部
６３  弾性挟持部材
６４  第２スリット
７０  ファスナー
７１  スライダー
７２  ファスナー開口部
８０  紐
８１  面ファスナー
９１  段差付材
９２  引掛け部
９３  横ずれ防止部
１００  背面シート部材
１０１  点貼着部
１０２  辺貼着部
１１０  ２シート貼着部
１５０  配線回避領域
１５１  シート保護部材  
１５８  シート部材Ａ
１５９  シート部材Ｂ
１６９  抜け止め部材
Ｓ    装飾物
【図１】
2019066807.tif 000003
【図２】
2019066807.tif 000004
【図３】
2019066807.tif 000005
【図４】
2019066807.tif 000006
【図５】
2019066807.tif 000007
【図６】
2019066807.tif 000008
【図７】
2019066807.tif 000009
【図８】
2019066807.tif 000010
【図９】
2019066807.tif 000011
【図１０】
2019066807.tif 000012
【図１１】
2019066807.tif 000013
【図１２】
2019066807.tif 000014
【図１３】
2019066807.tif 000015
【図１４】
2019066807.tif 000016
【図１５】
2019066807.tif 000017
【図１６】
2019066807.tif 000018
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
装飾物（Ｓ）を保持する保持手段を有する案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、前記支持材（２３）は、シート部材（１０）あるいは装飾物あるいは装飾物保持部材（３０）の位置を保持する機能を有し、前記装飾物保持部材（３０）は、前記装飾物を保持する機能を有し、該装飾物保持部材（３０）あるいは装飾物を、前記支持材（２３）または支持材（２３）と係止させる固定材から吊設または架設させ、前記スリット（２０）は開口部であって、前記シート部材（１０）に前記装飾物（Ｓ）を挿通させる際に開口する挿通穴（２１）となり、前記シート部材（１０）の任意の位置に少なくとも１以上を設けるスリットの穴であり、前記装飾物保持部材（３０）は、前記任意の位置に設けるスリット（２０）位置に合わせて、必要に応じて位置調整が可能で、前記装飾物（Ｓ）を前記スリット（２０）から挿通させて前記支持材（２３）より吊設または架設させる前記装飾物保持部材（３０）によって保持させることを特徴とする装飾機能付きシート状案内表示物の製造方法（１）。
【請求項２】
装飾物（Ｓ）を保持する保持手段を有する案内表示物を製造する方法であって、支持材（２３）に設けるシート部材（１０）に、スリット（２０）を設ける構成から成り、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）を、弾性力あるいは高摩擦力のある材料を用いた弾性挟持部材（６３）として、該弾性挟持部材（６３）には、前記シート部材（１０）の任意の位置に少なくとも１以上設けられたスリット（２０）に合わせた位置の背面に、１以上の第２スリット（６４）を設け、該弾性挟持部材（６３）の第２スリット（６４）への挟持による挟持保持力あるいは摩擦保持力を利用した前記保持手段として、前記装飾物（Ｓ）を前記スリット（２０）から挿通させて、第２スリット（６４）の挟持力あるいは摩擦力によって保持させることを特徴とする装飾機能付きシート状案内表示物の製造方法（１）。
【請求項３】
前記、装飾物（Ｓ）を保持する保持手段を有する案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、
前記シート部材（１０）は、全部又は一部を表示可能領域（１１）とする可撓性を有する
シート状であり、
前記シート部材（１０）が、弾性力あるいは高摩擦力のある材料を用いた、前記、弾性挟持部材（６３）であり、該弾性挟持部材（６３）には、任意の位置に少なくとも１以上のスリット（２０）を設け、該弾性挟持部材（６３）のスリット（２０）への挟持による挟持保持力あるいは摩擦保持力を利用した前記保持手段として、前記装飾物（Ｓ）を前記スリット（２０）から挿通させて第２スリット（６４）の挟持力あるいは摩擦力によって保持させることを特徴とする請求項２の装飾機能付きシート状案内表示物の製造方法（１）。
【請求項４】
装飾物（Ｓ）を保持する保持手段を備えた装飾機能付きシート状案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記装飾物（Ｓ）には穿通可能材（２４）である前記装飾物保持部材（３０）を穿通し、刺入可能な刺入形状部（２５）を設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けるスリットの穴であり、前記装飾物保持部材（３０）を、前記刺入形状部（２５）により穿通可能な材質である穿通可能材（２４）として、該穿通可能材（２４）には、前記シート部材（１０）の任意の位置に少なくとも１以上設けたスリット（２０）を設ける位置に合わせた前記シート部材（１０）の背面に、必要に応じて任意で第２スリット（６４）を設け、該穿通可能材（２４）への刺入または挟持による保持力を利用した前記保持手段として、前記装飾物（Ｓ）を前記スリット（２０）から挿通させて刺入または挟持による保持力によって保持させることを特徴とする装飾機能付きシート状案内表示物の製造方法（１）。
【請求項５】
装飾物（Ｓ）を保持する保持手段を備えた装飾機能付きシート状案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、１以上のファスナー（７０）とファスナースライダー（７１）と、２以上のファスナースライダー（７１）の開口部への前記装飾物を挿通させて挟持による挟持力による保持手段として、あるいは、前記１以上のファスナースライダー（７１）に前記装飾物を保持可能である任意の別の種類の装飾物保持部材（３０）を設けて移動可能とし、該別の種類の装飾物保持部材（３０）による保持力を利用したことを前記保持手段として、前記装飾物（Ｓ）を前記スリット（２０）から挿通させて保持させることを特徴とする装飾機能付きシート状案内表示物の製造方法（１）。
【請求項６】
装飾物（Ｓ）を保持する保持手段を備えた装飾機能付きシート状案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）に、段差部を設け、段差付材（９１）とし、該段差部には、必要に応じて引掛け部（９２）あるいは横ずれ防止部（９３）を設け、該段差付材（９１）の段差部への載置または該段差付材（９１）の引掛け部（９２）への引っ掛けによる保持力を利用したことを前記保持手段として、前記装飾物（Ｓ）を前記スリット（２０）から挿通させて載置または引っ掛けによる保持力によって保持させることを特徴とする装飾機能付きシート状案内表示物の製造方法（１）。
【請求項７】
装飾物（Ｓ）を保持する保持手段を備えた装飾機能付きシート状案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けたスリットの穴であり、前記装飾物保持部材（３０）を、穴部（４５）を設けられた穴部材（３７）とし、該穴部材（３７）の穴部（４５）へ挿入または引っ掛けまたは結束または係止させ、前記装飾物（Ｓ）を前記スリット（２０）から挿通させて穴部材によって保持させることを特徴とする装飾機能付きシート状案内表示物の製造方法（１）。
【請求項８】
装飾物（Ｓ）を保持する保持手段を備えた装飾機能付きシート状案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けたスリットの穴であり、前記装飾物保持部材（３０）が、可撓性を有する背面シート部材（１００）からなり、該背面シート部材（１００）をシート部材（１０）の背面に設け、前記保持手段が引掛けまたは挿入及び引掛けによるものであって、前記保持手段が引掛けによる場合は、前記装飾物保持部材（３０）に、掛着部材（１３）またはカット掛着部（１５）を用い、前記掛着部材（１３）は、小シートまたは紐状体を少なくとも２か所で前記背面シート部材（１００）に貼着させて、引掛け部（９２）を形成し、また、カット掛着部（１５）は背面シート（１００）の一部に１以上の切り込みを設けることによって、引掛け部（９２）を形成し、装飾物Ｓはそれぞれの装飾物保持部材（３０）に引掛けて保持可能で、前記保持手段が引掛け及び挿入による場合は、前記掛着部材（１３）またはカット掛着部（１５）に挿入して引掛けて保持し、該掛着部材（１３）またはカット掛着部（１５）を前記スリット（２０）と対応する前記シート部材（１０）の裏面に位置する個所に設け、または、任意で、前記背面シート部材（１００）の代わりに、前記シート部材（１０）に前記掛着部材（１３）またはカット掛着部（１５）を設け、前記装飾物（Ｓ）を前記掛着部材（１３）またはカット掛着部（１５）へ掛着または、挿入して掛着させて前記装飾物（Ｓ）を引掛け、または挿入及び引掛けて保持させることを特徴とする装飾機能付きシート状案内表示物の製造方法（１）。
【請求項９】
装飾物（Ｓ）を保持する保持手段を備えた装飾機能付きシート状案内表示物を製造する方法であって支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けたスリットの穴であり、前記装飾物保持部材（３０）が、可撓性を有する１以上の背面シート部材からなり、該背面シート部材を、一部を前記支持材（２３）またはシート部材（１０）に係止させて前記シート部材（１０）と重複させて裏面に設け、前記シート部材（１０）側から、第１背面シート部材、第２背面シート部材とし、更に重複させる場合は、順番に第３背面シート部材と続いて重複させ、前記シート部材（１０）を第０シート部材とし、第１背面シート部材及び第２背面シート部材で前記装飾物保持部材（３０）を形成する場合は、前記シート部材（１０）の任意の位置に設けた前記スリット（２０）に対応して、前記第１背面シート部材あるいは第２背面シート部材にも任意のサイズの第２スリット（６４）を設け、前記該第１背面シート部材及び第２背面シート部材の任意の位置において、点あるいは直線あるいは曲線あるいは面の単独あるいは組み合わせで任意の位置及び方向及び形状に互いに貼着させて、２シート貼着部（１１０）を創出し、引っ掛けあるいは、当接あるいは、挿入あるいは引掛けと挿入あるいは摩擦あるいは収納部を創出し、それぞれを任意の長さ、幅、方向で任意の保持機能を創出し、あるいは、該重複するシート同士を任意の位置で貼着させることによる２シート貼着部（１１０）の創出を、同様に任意で隣り合う前記第０シート部材以降の複数シート部材間または、２のシート部材（１０）の間に設け、前記装飾物（Ｓ）を前記スリット（２０）から挿通させて、前記２シート貼着部（１１０）によって、保持させることを特徴とする装飾機能付きシート状案内表示物の製造方法（１）。
【請求項１０】
装飾物（Ｓ）を保持する保持手段を備えた装飾機能付きシート状案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、前記支持材（２３）に、装飾物保持部材（３０）を備えた部材である保持部装着材（３５）を吊設または架設し、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けたスリットの穴であり、前記保持部装着材（３５）に設けた前記装飾物保持部材（３０）を、挿入または挿入及び引掛けによる保持力を利用した前記保持手段として１以上の筒形状の筒状体部材を設けて、該筒状体部材を、前記シート部材（１０）の任意の位置に設けたスリット（２０）位置に、その位置を自由に調節可能とし、該筒状体部材を、貫通筒状体または開口部が１の筒状体とした構造とし前記装飾物（Ｓ）を前記スリット（２０）から挿通させて該筒状体部材の開口部または該筒状体部材の側面に設けた第２スリット（６４）あるいは穴に挿入または挿入及び引掛けることにより保持させることを特徴とする装飾機能付きシート状案内表示物の製造方法（１）。
【請求項１１】
装飾物（Ｓ）を保持する保持手段を有する案内表示物を製造する方法であって、シート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けたスリットの穴であり、前記装飾物保持部材（３０）を、前記シート部材（１０）の任意の位置に少なくとも１以上設けたスリット（２０）に合わせた位置の背面に設け、前記装飾物（Ｓ）を前記スリット（２０）から挿通させて前記装飾物保持部材（３０）によって保持させ、スリット（２０）を設けた前記シート部材（１０）を保護するシート保護部材（１５１）を、前記シート部材（１０）と前記装飾物保持部材（３０）の間に、前記シート部材（１０）に密着または貼着または近接して設けさせることを特徴とする装飾機能付きシート状案内表示物の製造方法（１）。
【請求項１２】
装飾物（Ｓ）を保持する保持手段を有する案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けたスリットの穴であり、前記装飾物保持部材（３０）を、前記シート部材（１０）の任意の位置に少なくとも１以上設けたスリット（２０）に合わせた位置の背面に設け、１以上の前記シート部材（１０）は、１以上の構成では湾曲あるいは、屈曲させて、あるいは、２以上の構成では前記シート部材（１０）の一辺を係止させて、２方向以上に表示可能な該シート部材（１０）が１以上のスリット（２０）及び背面に１以上の前記装飾物保持部材（３０）を設けさせることを特徴とする装飾機能付きシート状案内表示物の製造方法（１）。
【請求項１３】
装飾物（Ｓ）を保持する保持手段を有する案内表示物を製造する方法であって、支持材（２３）に設けるシート部材（１０）に、スリット（２０）を設け、前記シート部材（１０）は、全部又は一部を表示可能領域（１１）とする可撓性を有するシート状であり、装飾物保持部材（３０）を前記シート部材（１０）の背面に設け、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）を、前記シート部材（１０）の任意の位置に少なくとも１以上設けたスリット（２０）に合わせた位置の背面に設け、前記装飾物（Ｓ）を前記スリット（２０）から挿通させて前記装飾物保持部材（３０）によって保持し該スリット（２０）の形状を、曲線形状あるいは折れ線形状とさせることを特徴とする装飾機能付きシート状案内表示物の製造方法（１）。
【請求項１４】
前記、装飾物（Ｓ）を保持する保持手段を有する装飾機能付きシート状案内表示物を製造する方法において、前記シート部材（１０）をＥＬディスプレイとすることを特徴とする請求項１から請求項１３のいずれかに記載の装飾機能付きシート状案内表示物の製造方法（１）。
【請求項１５】
前記シート部材（１０）の背面に、前記装飾物保持部材（３０）を密着または貼着させて、装飾物（Ｓ）を保持させることを特徴とする、請求項１から請求項１４のいずれかに記載の装飾機能付きシート状案内表示物の製造方法（１）。
【請求項１６】
前記装飾物保持部材を、２重に設けさせることを特徴とする請求項１から請求項１５のいずれかに記載の装飾機能付きシート状案内表示物の製造方法（１）。
【請求項１７】
前記装飾機能付きシート状案内表示物（２）を２以上の前記シート部材（１０）から成らせ、前記スリット（２０）を、２以上の前記シート部材（１０）によって形成させ、前記装飾物（Ｓ）を前記スリット（２０）から挿通させて、前記２以上のシート部材間の前記装飾物保持部材によって保持させることを特徴とする請求項１から請求項１６のいずれかに記載の装飾機能付きシート状案内表示物の製造方法（１）。
【請求項１８】
前記装飾機能付きシート状案内表示物（２）を２以上のシート部材（１０）から成らせ、前記スリット（２０）を、２以上のシート部材（１０）によって形成させ該２以上のシート部材の任意の位置において、点あるいは直線あるいは曲線あるいは面の単独あるいは組み合わせで任意の位置及び方向及び形状に互いに貼着させ、前記装飾物（Ｓ）を前記スリット（２０）から挿通させて、前記２以上のシート間の前記装飾物保持部材によって保持させることを特徴とする請求項１から請求項１７のいずれかに記載の装飾機能付きシート状案内表示物の製造方法（１）。
【請求項１９】
前記装飾物保持部材を、弾性または発泡性樹脂の充填剤にすることを特徴とする請求項２から請求項４または請求項１１から請求項１８のいずれかに記載の装飾機能付きシート状案内表示物の製造方法（１）。
【請求項２０】
装飾物（Ｓ）を保持する保持手段を有する案内表示物を製造する方法であって、シート部材（１０）に、スリット（２０）を設け、前記シート部材（１０）は、全部又は一部を表示可能領域（１１）とする可撓性を有するシート状であり、装飾物保持部材（３０）を前記シート部材（１０）の前面又は背面又はその両方に設け、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けるスリットの穴となり、前記装飾物保持部材（３０）と、前記シート部材（１０）と前記スリットに挿通した前記装飾物（Ｓ）との３要素が関わり合う構成である三相互保持構造により保持させ、前記三相互保持構造の、前記装飾物（Ｓ）と係止させた前記装飾物保持部材（３０）を、シート部材への穿通部材、またはシート部材との挟み込み部材、又は、スリット（２０）よりサイズの大きい抜け止め部材、又は、粘着部材とすることを特徴とする装飾機能付きシート状案内表示物の製造方法（１）。
【請求項２１】
装飾物（Ｓ）を保持する保持手段を有する装飾機能付きシート状案内表示物であって、支持材（２３）に設けられたシート部材（１０）は、スリット（２０）、を設ける構成から成り、前記シート部材（１０）は、全部又は一部を表示可能領域（１１）とする可撓性を有するシート状であり、前記支持材（２３）は、シート部材（１０）あるいは装飾物あるいは装飾物保持部材（３０）の位置を保持する機能を有し、前記装飾物保持部材（３０）は、前記装飾物を保持する機能を有し、該装飾物保持部材（３０）あるいは装飾物は前記支持材（２３）または支持材（２３）と係止されている固定材から吊設または架設されており、前記スリット（２０）は開口部であって、前記シート部材（１０）に前記装飾物（Ｓ）を挿通させる際に開口する挿通穴（２１）となり、前記シート部材（１０）の任意の位置に少なくとも１以上を設けられたスリットの穴であり、前記装飾物保持部材（３０）は、前記任意の位置に設けられたスリット（２０）位置に合わせて、必要に応じて位置調整が可能で、前記装飾物（Ｓ）が前記スリット（２０）から挿通されて前記支持材（２３）より吊設または架設された前記装飾物保持部材（３０）によって保持することを特徴とする装飾機能付きシート状案内表示物（２）。
【請求項２２】
装飾物（Ｓ）を保持する保持手段を有する装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、弾性力あるいは高摩擦力のある材料を用いた弾性挟持部材（６３）であり、該弾性挟持部材（６３）には、前記シート部材（１０）の任意の位置に少なくとも１以上設けられたスリット（２０）に合わせた位置の背面に、１以上の第２スリット（６４）が設けられ、該弾性挟持部材（６３）の第２スリット（６４）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする装飾機能付きシート状案内表示物（２）。
【請求項２３】
前記、装飾物（Ｓ）を保持する保持手段を有する装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、
前記シート部材（１０）が、弾性力あるいは高摩擦力のある材料を用いた、前記、弾性挟持部材（６３）であり、該弾性挟持部材（６３）には、任意の位置に少なくとも１以上設けられたスリット（２０）が設けられ、該弾性挟持部材（６３）のスリット（２０）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする請求項２２の装飾機能付きシート状案内表示物（２）。
【請求項２４】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記装飾物（Ｓ）には穿通可能材（２４）である前記装飾物保持部材（３０）を穿通し、刺入可能な刺入形状部（２５）が設けられており、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記刺入形状部（２５）により穿通可能な材質である穿通可能材（２４）からなり、該穿通可能材（２４）には、前記シート部材（１０）の任意の位置に少なくとも１以上設けられたスリット（２０）を設ける位置に合わせた前記シート部材（１０）の背面に、必要に応じて任意で第２スリット（６４）を設けられ、該穿通可能材（２４）への刺入または挟持による保持力を利用した前記保持手段として、前記装飾物（Ｓ）が前記スリット（２０）から挿通されて刺入または挟持による保持力によって保持することを特徴とする装飾機能付きシート状案内表示物（２）。
【請求項２５】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、１以上のファスナー（７０）とファスナースライダー（７１）からなり、２以上のファスナースライダー（７１）の開口部への前記装飾物を挿通させて挟持による挟持力による保持手段として、あるいは、前記１以上のファスナースライダー（７１）に前記装飾物を保持可能である任意の別の種類の装飾物保持部材（３０）が設けられて移動可能であり、該別の種類の装飾物保持部材（３０）による保持力を利用したことを前記保持手段として、前記装飾物（Ｓ）が前記スリット（２０）から挿通されて保持することを特徴とする装飾機能付きシート状案内表示物（２）。
【請求項２６】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、段差部を設けられた段差付材（９１）からなり、該段差部には、必要に応じて引掛け部（９２）あるいは横ずれ防止部（９３）が設けられており、該段差付材（９１）の段差部への載置または該段差付材（９１）の引掛け部（９２）への引っ掛けによる保持力を利用したことを前記保持手段として、前記装飾物（Ｓ）が前記スリット（２０）から挿通されて載置または引っ掛けによる保持力によって保持することを特徴とする装飾機能付きシート状案内表示物（２）。
【請求項２７】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、穴部（４５）を設けられた穴部材（３７）からなり、該穴部材（３７）の穴部（４５）への挿入または引っ掛けまたは結束または係止され、前記装飾物（Ｓ）が前記スリット（２０）から挿通されて穴部材によって保持することを特徴とする装飾機能付きシート状案内表示物（２）。
【請求項２８】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、可撓性を有する背面シート部材（１００）からなり、該背面シート部材（１００）はシート部材（１０）の背面に設けられ、前記保持手段が引掛けまたは挿入及び引掛けによるものであって、前記保持手段が引掛けによる場合は、前記装飾物保持部材（３０）に、掛着部材（１３）またはカット掛着部（１５）を用い、前記掛着部材（１３）は、小シートまたは紐状体を少なくとも２か所で前記背面シート部材（１００）に貼着することによって、引掛け部（９２）を形成し、また、カット掛着部（１５）は背面シート（１００）の一部に１以上の切り込みを設けることによって、引掛け部（９２）を形成し、装飾物Ｓはそれぞれの装飾物保持部材（３０）に引掛けて保持可能で、前記保持手段が引掛け及び挿入による場合は、前記掛着部材（１３）またはカット掛着部（１５）に挿入して引掛けて保持し、該掛着部材（１３）またはカット掛着部（１５）は前記スリット（２０）と対応する前記シート部材（１０）の裏面に位置する個所に設けられ、または、任意で、前記背面シート部材（１００）の代わりに、前記シート部材（１０）に前記掛着部材（１３）またはカット掛着部（１５）を設け、前記装飾物（Ｓ）を前記掛着部材（１３）またはカット掛着部（１５）へ掛着または、挿入して掛着することによって前記装飾物（Ｓ）を引掛け、または挿入及び引掛けによって保持することを特徴とする装飾機能付きシート状案内表示物（２）。
【請求項２９】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、可撓性を有する１以上の背面シート部材からなり、該背面シート部材は、一部を前記支持材（２３）またはシート部材（１０）に係止されて前記シート部材（１０）と重複して裏面に設けられ、前記シート部材（１０）側から、第１背面シート部材、第２背面シート部材とし、更に重複される場合は、順番に第３背面シート部材と続いて重複され、前記シート部材（１０）を第０シート部材とし、第１背面シート部材及び第２背面シート部材で前記装飾物保持部材（３０）を形成する場合は、前記シート部材（１０）の任意の位置に設けられた前記スリット（２０）に対応して、前記第１背面シート部材あるいは第２背面シート部材にも任意のサイズの第２スリット（６４）が設けられ、前記該第１背面シート部材及び第２背面シート部材の任意の位置において、点あるいは直線あるいは曲線あるいは面の単独あるいは組み合わせで任意の位置及び方向及び形状に互いに貼着することにより、２シート貼着部（１１０）を創出し、引っ掛けあるいは、当接あるいは、挿入あるいは引掛けと挿入あるいは摩擦あるいは収納部を創出し、それぞれを任意の長さ、幅、方向で任意の保持機能を創出し、あるいは、該重複するシート同士を任意の位置で貼着することによる２シート貼着部（１１０）の創出を、同様に任意で隣り合う前記第０シート部材以降の複数シート部材間または、２のシート部材（１０）の間に設け、前記装飾物（Ｓ）が前記スリット（２０）から挿通されて、前記２シート貼着部（１１０）によって、保持することを特徴とする装飾機能付きシート状案内表示物（２）。
【請求項３０】
装飾物（Ｓ）を保持する保持手段を備えた装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、前記支持材（２３）からは、装飾物保持部材（３０）を備えた部材である保持部装着材（３５）が吊設または架設されており、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記保持部装着材（３５）に設けられた前記装飾物保持部材（３０）が、挿入または挿入及び引掛けによる保持力を利用した前記保持手段として１以上の筒形状の筒状体部材が設けられ、該筒状体部材は、前記シート部材（１０）の任意の位置に設けられたスリット（２０）位置に、その位置を自由に調節可能で、該筒状体部材は任意で、貫通筒状体または開口部が１の筒状体とした構造とし前記装飾物（Ｓ）が前記スリット（２０）から挿通されて該筒状体部材の開口部または該筒状体部材の側面に設けられた第２スリット（６４）あるいは穴に挿入または挿入及び引掛けることにより保持することを特徴とする装飾機能付きシート状案内表示物（２）。
【請求項３１】
装飾物（Ｓ）を保持する保持手段を有する装飾機能付きシート状案内表示物であって、シート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持され、スリット（２０）を設けられた前記シート部材（１０）を保護するシート保護部材（１５１）が、前記シート部材（１０）と前記装飾物保持部材（３０）の間に、前記シート部材（１０）に密着または貼着または近接して設けられたことを特徴とする装飾機能付きシート状案内表示物（２）。
【請求項３２】
装飾物（Ｓ）を保持する保持手段を有する装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、１以上の前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）及び背面に１以上の前記装飾物保持部材（３０）を設けたことを特徴とする装飾機能付きシート状案内表示物（２）。
【請求項３３】
装飾物（Ｓ）を保持する保持手段を有する装飾機能付きシート状案内表示物であって、支持材（２３）に設けられたシート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持し該スリット（２０）の形状が、曲線形状あるいは折れ線形状であることを特徴とする装飾機能付きシート状案内表示物（２）。
【請求項３４】
前記、装飾物（Ｓ）を保持する保持手段を有する装飾機能付きシート状案内表示物において、前記シート部材（１０）がＥＬディスプレイであることを特徴とする請求項２１から請求項３３のいずれかに記載の装飾機能付きシート状案内表示物（２）。
【請求項３５】
前記装飾物（Ｓ）を保持する保持手段を有し、スリット（２０）が設けられる装飾機能付きシート状案内表示物において、前記シート部材（１０）がＥＬディスプレイであり、前記スリット（２０）を設けられる部分が、設けられた各画素毎の発光素子に対して、防水、防気されていることを特徴とする請求項２１から請求項３４ のいずれかに記載の装飾機能付きシート状案内表示物（２）。
【請求項３６】
前記シート部材（１０）の背面に、前記装飾物保持部材（３０）が密着または貼着されて、装飾物（Ｓ）が保持されることを特徴とする、請求項２１から請求項３５のいずれかに記載の装飾機能付きシート状案内表示物（２）。
【請求項３７】
前記装飾物保持部材が、２重に設けられたことを特徴とする請求項２１から請求項３６のいずれかに記載の装飾機能付きシート状案内表示物（２）。
【請求項３８】
前記装飾機能付きシート状案内表示物（２）が２以上の前記シート部材（１０）からなり、前記スリット（２０）が、２以上の前記シート部材（１０）によって形成され、前記装飾物（Ｓ）が前記スリット（２０）から挿通されて、前記２以上のシート部材間の前記装飾物保持部材によって保持されることを特徴とする請求項２１から請求項３７のいずれかに記載の装飾機能付きシート状案内表示物（２）。
【請求項３９】
前記装飾機能付きシート状案内表示物（２）が２以上のシート部材（１０）からなり、前記スリット（２０）が、２以上のシート部材（１０）によって形成され該２以上のシート部材の任意の位置において、点あるいは直線あるいは曲線あるいは面の単独あるいは組み合わせで任意の位置及び方向及び形状に互いに貼着され、前記装飾物（Ｓ）が前記スリット（２０）から挿通されて、前記２以上のシート間の前記装飾物保持部材によって保持されることを特徴とする請求項２１から請求項３８のいずれかに記載の装飾機能付きシート状案内表示物（２）。
【請求項４０】
前記装飾物保持部材が、弾性または発泡性樹脂の充填剤であることを特徴とする請求項２２から請求項２４または請求項３１から請求項３９のいずれかに記載の装飾機能付きシート状案内表示物（２）。
【請求項４１】
装飾物（Ｓ）を保持する保持手段を有する装飾機能付きシート状案内表示物であって、シート部材（１０）に、スリット（２０）を設ける構成から成り、前記シート部材（１０）は、全部又は一部を表示可能領域（１１）とする可撓性を有するシート状であり、装飾物保持部材（３０）が前記シート部材（１０）の前面又は背面又はその両方に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）と、前記シート部材（１０）と前記スリットに挿通した前記装飾物（Ｓ）との３要素が関わり合う構成である三相互保持構造により保持され、前記三相互保持構造の、前記装飾物（Ｓ）と係止された前記装飾物保持部材（３０）が、シート部材への穿通部材、またはシート部材との挟み込み部材、又は、スリット（２０）よりサイズの大きい抜け止め部材、又は、粘着部材であることを特徴とする装飾機能付きシート状案内表示物（２）。
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
装飾物（Ｓ）を保持する保持手段を有する案内表示物を製造する方法であって、
固定材に係止させた支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、
前記シート部材（１０）に、１以上のスリット（２０）を設け、
前記支持材（２３）は、シート部材（１０）あるいは装飾物あるいは装飾物保持部材（３０）の位置を保持する機能を有し、前記装飾物保持部材（３０）は、前記装飾物を保持する機能を有し、
前記装飾物を前記支持材（２３）または支持材（２３）と係止させた固定材から吊設または架設させるか、または前記装飾物保持部材（３０）を前記支持材（２３）または支持材（２３）と係止させた固定材から吊設または架設させ、
前記装飾物（Ｓ）を前記スリット（２０）から挿通させ、
前記支持材（２３）より吊設または架設させる前記装飾物保持部材（３０）によって保持させ、
前記装飾物保持部材（３０）は、前記任意の位置に設けるスリット（２０）位置に合わせて、必要に応じて位置調整が可能であることを特徴とする装飾機能付きシート状案内表示物の製造方法（１）。
【請求項２】
装飾物（Ｓ）を保持する保持手段を有する案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
弾性力あるいは高摩擦力のある弾性挟持部材（６３）を準備し、該弾性挟持部材（６３）に１以上の切り込みを入れてスリットを設けるか、または、該弾性挟持部材を重ねることによって１以上のスリットを設け、前記弾性挟持部材（６３）によって設けられたスリットを第２スリット（６４）とし、該第２スリット（６４）を備えさせた装飾物保持部材（３０）である前記弾性挟持部材（６３）を、
装飾物保持部材（３０）として前記シート部材（１０）の背面に配置し、
前記装飾物（Ｓ）を前記スリット（２０）に挿通させて、前記シート部材（１０）の背面に配置させた前記装飾物保持部材（３０）である弾性挟持部材（６３）に挟持させ、
前記装飾物（Ｓ）を、前記弾性挟持部材（６３）の第２スリット（６４）への挟持による挟持保持力あるいは摩擦保持力を利用した保持手段として第２スリット（６４）の挟持力あるいは摩擦力によって保持させることを特徴とする装飾機能付きシート状案内表示物の製造方法（１）。
【請求項３】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
装飾物保持部材（３０）である穿通可能材（２４）を前記シート部材（１０）の背面に配置し、
前記シート部材（１０）に、１以上のスリット（２０）を設けて、
装飾物（Ｓ）を準備し、
前記装飾物（Ｓ）には穿通可能材（２４）である前記装飾物保持部材（３０）を穿通し刺入可能な刺入形状部（２５）を設け、
前記穿通可能材（２４）は、前記刺入形状部（２５）により穿通可能な材質である穿通可能材（２４）であり、
前記装飾物（Ｓ）を前記スリット（２０）から挿通させて前記穿通可能材（２４）に前記刺入形状部（２５）を穿通させ、
前記装飾物（Ｓ）の保持手段として、該穿通可能材（２４）への刺入または挟持による保持力を利用して、前記スリット（２０）から挿通させて保持させることを特徴とする装飾機能付きシート状案内表示物の製造方法（１）。
【請求項４】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）である１以上のファスナー（７０）とファスナースライダー（７１）のセットを前記シート部材（１０）の背面に配置し、
前記装飾物保持部材（３０）は、１つのファスナーにつき、２以上のファスナースライダー（７１）を備えさせたセットを１以上設けさせ、
前記２以上のファスナースライダー（７１）により開閉可能な開口部を設けさせ、
装飾物（Ｓ）を前記スリット（２０）に挿通させて、前記シート部材（１０）の背面に配置させた前記装飾物保持部材（３０）の前記ファスナスライダー（７１）による開口部に挟持させて、
保持させるか、または、前記ファスナースライダー（７１）に前記装飾物を保持可能である任意の別の種類の装飾物保持部材（３０）を設けて、該別の種類の装飾物保持部材（３０）に前記装飾物（Ｓ）を保持させることを特徴とする装飾機能付きシート状案内表示物の製造方法（１）。
【請求項５】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）である段差付材（９１）を前記シート部材（１０）の背面に配置し、
前記段差付材（９１）は、面に装飾物（Ｓ）を引掛けまたは載置可能な段差を設けた構造であり、
前記装飾物（Ｓ）を前記スリット（２０）に挿通させて、前記シート部材（１０）の背面に配置させた前記装飾物保持部材（３０）の前記段差付材（９１）の段差部に載置または引っ掛けて
保持させることを特徴とする装飾機能付きシート状案内表示物の製造方法（１）。 
【請求項６】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）を前記シート部材（１０）の背面に配置し、 
前記装飾物保持部材（３０）は、穴部（４５）を設けられた穴部材（３７）とし、
前記穴部材（３７）は、面に１の穴部を備えた構造あるいはリング状のリング状部材（４４）、または、面に複数の穴部を備えた構造あるいは網状の多穴部材（３６）であり、
前記装飾物（Ｓ）を前記スリット（２０）から挿通させて
前記穴部材（３７）の穴部（４５）へ挿入または引っ掛けまたは結束または係止させ、前記スリット（２０）から挿通させて穴部材によって保持させることを特徴とする装飾機能付きシート状案内表示物の製造方法（１）。
【請求項７】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）を準備し、該装飾物保持部材（３０）は、可撓性を有する背面シート部材（１００）に、小シートまたは紐状体を該小シートまたは紐状体の少なくとも２か所で前記背面シート部材（１００）に貼着させることによって前記貼着させた２か所以上の間の部分で引掛け部（９２）を形成することによる掛着部材（１３）、または前記背面シート（１００）の一部に１以上の切り込みを設けることによるカット掛着部（１５）を備えさせることによって構成させ、
前記装飾物保持部材（３０）を前記シート部材（１０）の背面に配置し、 
前記装飾物（Ｓ）を前記スリット（２０）から挿通させて
前記掛着部材（１３）またはカット掛着部（１５）へ掛着または、挿入して掛着させて前記装飾物（Ｓ）を引掛け、または挿入及び引掛けて保持させることを特徴とする装飾機能付きシート状案内表示物の製造方法（１）。
【請求項８】
装飾物（Ｓ）を保持する保持手段を備えた装飾機能付きシート状案内表示物を製造する方法であって
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
前記シート部材の背面には、もう一枚のシート部材である背面シート部材（１００）を、
装飾物保持部材（３０）を構成する部材として配置し、 
前記装飾物保持部材（３０）は、可撓性を有する１以上の背面シート部材（１００）からなり、該背面シート部材（１００）を、一部を前記支持材（２３）またはシート部材（１０）に係止させて前記シート部材（１０）と重複させて前記シート部材の背面に設け、
前記背面シート部材（１００）は、該背面シート部材（１００）の前面のシート部材または背面シート部材（１００）と一部を互いに貼着させて２シート貼着部を創出し、
前記２シート貼着部は、点あるいは直線あるいは曲線あるいは面の単独あるいは組み合わせで任意の位置及び方向及び形状に貼着し、
複数の背面シート部材（１００）を設ける場合は、必要に応じて、前記スリット（２０）に対応した位置に前記背面シート部材（１００）にもスリットである第２スリットを設け、
前記装飾物（Ｓ）を前記スリット（２０）あるいは前記第２スリットにも合わせて挿通させて
前記装飾物を隣り合う前記第シート部材と背面シート部材（１００）あるいは、複数の背面シート部材（１００）、あるいは前記２シート貼着部との間にて、引っ掛けあるいは、当接あるいは、挿入、あるいは引掛けと挿入、あるいは摩擦によって保持させることを特徴とする装飾機能付きシート状案内表示物の製造方法（１）。 
【請求項９】
前記装飾機能付きシート状案内表示物の重複した前記シート部材（１０）と背面シート部材（１００）をそれぞれ、上側のシート部材Ｂ（１５９）と下側のシート部材Ａ（１５８）とし、前記スリット（２０）を、重ね合わされた前記シート部材Ｂ（１５９）とシート部材Ａ（１５８）の隙間の開口部によって形成させ、該重ね合わせたシート部材Ｂ（１５９）及びシート部材Ａ（１５８）の任意の位置において、点あるいは直線あるいは曲線あるいは面の単独あるいは組み合わせで任意の位置及び方向及び形状に互いに貼着させて前記２シート貼着部とし、前記装飾物（Ｓ）を前記スリット（２０）から挿通させて、前記装飾物を隣り合う前記シート部材Ｂ（１５９）とシート部材Ａ（１５８）あるいは、前記２シート貼着部との間にて、引っ掛けあるいは、当接あるいは、挿入、あるいは引掛けと挿入、あるいは摩擦によって保持させることを特徴とする請求項８に記載の装飾機能付きシート状案内表示物の製造方法（１）。
【請求項１０】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
前記支持材（２３）に、装飾物保持部材（３０）を備えた部材である保持部装着材（３５）を吊設または架設して、前記装飾物保持部材（３０）を１以上の筒形状の筒状体部材として前記シート部材（１０）の背面の、前記シート部材（１０）のスリット（２０）の位置に合わせて設け、
該筒状体部材を、貫通筒状体または開口部が１の筒状体とした構造とし、また、必要に応じて、前記筒状体の側面に第２スリット（６４）または穴を設け、
前記装飾物（Ｓ）を前記スリット（２０）から挿通させて、該筒状体部材の開口部または該筒状体部材の側面に設けた第２スリット（６４）あるいは穴に挿入または挿入及び引掛けることにより保持させることを特徴とする装飾機能付きシート状案内表示物の製造方法（１）。 
【請求項１１】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）に、
該シート部材（１０）を保護するシート保護部材（１５１）を、前記シート部材（１０）の背面に、前記シート部材（１０）に密着または貼着または近接して設けさせて、
前記表示可能領域（１１）を視認可能に前記支持材に係止させた状態で準備し、
前記支持材（２３）は、シート部材（１０）の位置を保持する機能を有し、
前記シート部材（１０）と前記シート保護具材（１５１）にも、１以上のスリットを設け、
装飾物保持部材（３０）を前記シート部材（１０）と前記シート保護部材（１５１）の背面に配置し、
前記装飾物（Ｓ）を前記スリット（２０）から挿通させて前記装飾物保持部材（３０）によって保持させることを特徴とする装飾機能付きシート状案内表示物の製造方法（１）。
【請求項１２】
装飾物（Ｓ）を保持する保持手段を備えた装飾機能付きシート状案内表示物を製造する方法であって、
全部又は一部を表示可能領域（１１）とする可撓性を有するシート状である１以上のシート部材（１０）を、
前記表示可能領域（１１）を視認可能に、支持材に係止させて２方向以上に表示可能な該シート部材（１０）とし、
１以上の構成では湾曲あるいは、屈曲させて、あるいは、２以上の構成では前記シート部材（１０）の一辺を他のシート部材又は支持材（２３）に係止させ、
前記シート部材（１０）に、１以上のスリット（２０）を設けて、
前記シート部材（１０）の背面に１以上の装飾物保持部材（３０）を設けさせ、
前記装飾物（Ｓ）を前記スリット（２０）から挿通させて前記装飾物保持部材（３０）によって保持させることを特徴とする装飾機能付きシート状案内表示物の製造方法（１）。
【請求項１３】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材の背面に、弾性または発泡性樹脂の充填剤を充足し、前記充填剤を装飾物保持部材（３０）とし、 
前記シート部材（１０）に、１以上のスリット（２０）を設け、
前記装飾物（Ｓ）を前記スリットから挿通させて、
前記装飾物保持部材（３０）である充填剤に挿し入れて
前記装飾物を保持することを特徴とする装飾機能付きシート状案内表示物の製造方法（１）。
【請求項１４】
前記スリット（２０）の形状を、曲線形状あるいは折れ線形状とさせることを特徴とする請求項１から請求項１３のいずれかに記載の装飾機能付きシート状案内表示物の製造方法（１）。
【請求項１５】
前記、装飾物（Ｓ）を保持する保持手段を有する装飾機能付きシート状案内表示物を製造する方法において、前記シート部材（１０）をＥＬディスプレイとすることを特徴とする請求項１から請求項１４のいずれかに記載の装飾機能付きシート状案内表示物の製造方法（１）。
【請求項１６】
前記シート部材（１０）の背面に、前記装飾物保持部材（３０）を密着または貼着させて、装飾物（Ｓ）を保持させることを特徴とする、請求項１から請求項１５のいずれかに記載の装飾機能付きシート状案内表示物の製造方法（１）。
【請求項１７】
前記装飾機能付きシート状案内表示物を２以上の前記シート部材（１０）を重ね、前記スリット（２０）を、前記シート部材（１０）を重ね合わせることによる隙間の開口部によって形成させ、前記前記装飾物（Ｓ）を前記スリット（２０）から挿通させて、前記シート部材（１０）の背面に設けた前記装飾物保持部材によって保持させることを特徴とする請求項１から請求項１６のいずれかに記載の装飾機能付きシート状案内表示物の製造方法（１）。
【請求項１８】
前記装飾機能付きシート状案内表示物の装飾物保持部材として、磁石または、面ファスナーまたは、粘着テープまたは、摩擦力の強いシート部材または、結束バンドまたは、紐状体を前記スリット（２０）の位置に対応する前記シート部材（１０）の背面に設けて、前記装飾物（Ｓ）が前記スリット（２０）から挿通されて、前記磁石の磁力、または前記面ファスナーの結合力、または前記粘着テープの粘着力、または摩擦力の強いシート部材の摩擦力、または、結束バンドあるいは紐状体の結束力にて保持させることを特徴とする請求項１７に記載の装飾機能付きシート状案内表示物の製造方法（１）。
【請求項１９】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
前記装飾物（Ｓ）を前記スリット（２０）から挿通させて、
前記スリット（２０）から挿通させた装飾物（Ｓ）に、装飾物保持部材（３０）として、シート部材への穿通部材、またはシート部材との挟み込み部材、又は、スリット（２０）よりサイズの大きい抜け止め部材、又は、粘着部材を係止して設けて、
シート部材への穿通部材の場合は穿通部をシート部材に穿通させ、また、シート部材との挟み込み部材で前記シート部材を挟持して、また、スリット（２０）よりサイズの大きい抜け止め部材の場合は前記スリット（２０）から抜けないようにして、また、粘着部材の場合には、前記シートの背面側から貼着させることによる、前記装飾物保持部材（３０）と、前記シート部材（１０）と前記スリットに挿通した前記装飾物（Ｓ）との３要素が関わり合う構成である三相互保持構造により保持させることを特徴とする装飾機能付きシート状案内表示物の製造方法（１）。
【請求項２０】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）を設けられ、
前記支持材（２３）は、シート部材（１０）あるいは装飾物あるいは装飾物保持部材（３０）の位置を保持する機能を有し、前記装飾物保持部材（３０）は、前記装飾物を保持する機能を有し、該装飾物保持部材（３０）あるいは装飾物は前記支持材（２３）または支持材（２３）と係止されている固定材から吊設または架設されており、前記スリット（２０）は開口部であって、前記シート部材（１０）に前記装飾物（Ｓ）を挿通させる際に開口する挿通穴（２１）となり、前記シート部材（１０）の任意の位置に少なくとも１以上を設けられたスリットの穴であり、前記装飾物保持部材（３０）は、前記任意の位置に設けられたスリット（２０）位置に合わせて、必要に応じて、吊設または架設された位置を変更することによって位置調整が可能で、前記装飾物（Ｓ）が前記スリット（２０）から挿通されて前記支持材（２３）より吊設または架設された前記装飾物保持部材（３０）によって保持することを特徴とする装飾機能付きシート状案内表示物（２）。
【請求項２１】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）に、はスリット（２０）を設けられ、
前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、弾性力あるいは高摩擦力のある材料を用いた弾性挟持部材（６３）であり、該弾性挟持部材（６３）には、前記シート部材（１０）の任意の位置に少なくとも１以上設けられたスリット（２０）に合わせた位置の背面に、１以上の第２スリット（６４）が設けられ、
該第２スリット（６４）は、前記弾性挟持部材（６３）に１以上の切り込みを入れられて設けられたスリットであるか、または、該弾性挟持部材を重ねることによって設けられた１以上のスリットであり、
該弾性挟持部材（６３）の第２スリット（６４）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする装飾機能付きシート状案内表示物（２）。
【請求項２２】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記装飾物（Ｓ）には穿通可能材（２４）である前記装飾物保持部材（３０）を穿通し、刺入可能な刺入形状部（２５）が設けられており、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記刺入形状部（２５）により穿通可能な材質である穿通可能材（２４）からなり、
該穿通可能材（２４）には、前記シート部材（１０）の前記スリット（２０）の位置に合わせて、第２スリット（６４）を設けられ、該穿通可能材（２４）への刺入または挟持による保持力を利用した前記保持手段として、前記装飾物（Ｓ）が前記スリット（２０）から挿通されて刺入または挟持による保持力によって保持することを特徴とする装飾機能付きシート状案内表示物（２）。
【請求項２３】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、１以上のファスナー（７０）とファスナースライダー（７１）のセットによって構成され、
前記ファスナー（７０）とファスナースライダー（７１）のセットは、１セットあたり２以上のファスナースライダー（７１）を備え該２以上のファスナースライダー（７１）の移動によって該ファスナースライダーの間の開閉可能な開口部へ前記装飾物を挟持することによる挟持力による保持手段とし、あるいは、前記１以上のファスナースライダー（７１）に前記装飾物を保持可能である任意の別の種類の装飾物保持部材（３０）が設けられて移動可能であり、該別の種類の装飾物保持部材（３０）による保持力を利用したことを前記保持手段として、前記装飾物（Ｓ）が前記スリット（２０）から挿通されて保持することを特徴とする装飾機能付きシート状案内表示物（２）。
【請求項２４】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）は、面に前記装飾物（Ｓ）を載置または引っ掛け可能な段差部を設けた構造である段差付材（９１）からなり、
該段差部には、必要に応じて引掛け部（９２）あるいは横ずれ防止部（９３）が設けられており、該段差付材（９１）の段差部への載置または該段差付材（９１）の引掛け部（９２）への引っ掛けによる保持力を利用したことを前記保持手段として、前記装飾物（Ｓ）が前記スリット（２０）から挿通されて載置または引っ掛けによる保持力によって保持することを特徴とする装飾機能付きシート状案内表示物（２）。
【請求項２５】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、穴部（４５）を設けられた穴部材（３７）からなり、
前記穴部材（３７）は、面に１の穴部を備えた構造あるいはリング状のリング状部材（４４）、または、面に複数の穴部を備えた構造あるいは網状の多穴部材（３６）であり、
前記装飾物（Ｓ）が前記スリット（２０）から挿通されて、該穴部材（３７）の穴部（４５）への挿入または引っ掛けまたは結束または係止され、前記装飾物（Ｓ）が前記スリット（２０）から挿通されて穴部材によって保持されることを特徴とする装飾機能付きシート状案内表示物（２）。
【請求項２６】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、可撓性を有する背面シート部材（１００）と該背面シート部材（１００）に設けられた掛着部材（１３）またはカット掛着部（１５）からなり、
該背面シート部材（１００）はシート部材（１０）の背面に設けられ、
前記掛着部材（１３）は、可撓性を有する背面シート部材（１００）に、小シートまたは紐状体を該小シートまたは紐状体の少なくとも２か所で前記背面シート部材（１００）に貼着させることによって前記貼着させた２か所以上の間の部分で引掛け部（９２）を形成することにより引掛け部(９２)を形成し、また、前記カット掛着部（１５）は前記背面シート（１００）の一部に１以上の切り込みを設けることにより引掛け部（９２）を形成し、
装飾物Ｓはそれぞれの装飾物保持部材（３０）に引掛けて保持可能で、前記保持手段が引掛けあるいは挿入による場合は、前記掛着部材（１３）またはカット掛着部（１５）に挿入して引掛けて保持し、該掛着部材（１３）またはカット掛着部（１５）は前記スリット（２０）と対応する前記シート部材（１０）の裏面に位置する個所に設けられ、または、任意で、前記背面シート部材（１００）の代わりに、前記シート部材（１０）に前記掛着部材（１３）またはカット掛着部（１５）を設け、前記装飾物（Ｓ）を前記掛着部材（１３）またはカット掛着部（１５）へ掛着または、挿入して掛着することによって前記装飾物（Ｓ）を引掛け、または挿入及び引掛けによって保持することを特徴とする装飾機能付きシート状案内表示物（２）。
【請求項２７】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）は、可撓性を有する１以上の背面シート部材（１００）からなり、該背面シート部材（１００）は、一部を前記支持材（２３）またはシート部材（１０）に係止されて前記シート部材（１０）と重複して前記シート部材の背面に設けられ、
前記背面シート部材（１００）は、該背面シート部材（１００）の前面のシート部材（１０）または背面シート部材（１００）と一部を互いに貼着された２シート貼着部を設け、
前記２シート貼着部は、点あるいは直線あるいは曲線あるいは面の単独あるいは組み合わせで任意の位置及び方向及び形状に貼着し、
更に複数の背面シート部材（１００）を設ける場合は、必要に応じて、前記スリット（２０）に対応した位置に前記背面シート部材（１００）にもスリットである第２スリットを設け、
前記装飾物（Ｓ）が前記スリット（２０）あるいは前記第２スリットにも合わせて挿通されて
前記装飾物を隣り合う前記第シート部材と背面シート部材（１００）あるいは、複数の背面シート部材（１００）、あるいは前記２シート貼着部との間にて、引っ掛けあるいは、当接あるいは、挿入、あるいは引掛けと挿入、あるいは摩擦によって保持されることを特徴とする装飾機能付きシート状案内表示物（２）。
【請求項２８】
前記装飾機能付きシート状案内表示物（２）の重複したシート部材（１０）と背面シート部材（１００）をそれぞれ、上側のシート部材Ｂ（１５９）と下側のシート部材Ａ（１５８）とし、前記スリット（２０）が、重ね合わされた前記シート部材Ｂ（１５９）とシート部材Ａ（１５８）の隙間の開口部であり、該重ね合わせたシート部材Ｂ（１５９）及びシート部材Ａ（１５８）の任意の位置における、点あるいは直線あるいは曲線あるいは面の単独あるいは組み合わせで任意の位置及び方向及び形状に互いに貼着した部分を前記２シート貼着部とし、前記装飾物（Ｓ）を前記スリット（２０）から挿通させて、前記装飾物を隣り合う前記シート部材Ｂ（１５９）とシート部材Ａ（１５８）あるいは、前記２シート貼着部との間にて、引っ掛けあるいは、当接あるいは、挿入、あるいは引掛けと挿入、あるいは摩擦によって保持させることを特徴とする請求項２７に記載の装飾機能付きシート状案内表示物（２）。
【請求項２９】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
前記支持材（２３）からは、装飾物保持部材（３０）を備えた部材である保持部装着材（３５）が吊設または架設されており、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記保持部装着材（３５）に設けられた前記装飾物保持部材（３０）が、挿入または挿入及び引掛けによる保持力を利用した前記保持手段として１以上の筒形状の筒状体部材が設けられ、
該筒状体部材は、前記保持部装着材（３５）の長さあるいは位置を変更することによって、前記シート部材（１０）の任意の位置に設けられたスリット（２０）位置に、その位置を自由に調節可能で、該筒状体部材は任意で、貫通筒状体または開口部が１の筒状体とした構造とし前記装飾物（Ｓ）が前記スリット（２０）から挿通されて該筒状体部材の開口部または該筒状体部材の側面に設けられた第２スリット（６４）あるいは穴に挿入または挿入及び引掛けることにより保持することを特徴とする装飾機能付きシート状案内表示物（２）。
【請求項３０】
装飾物（Ｓ）を保持する保持手段を備えた装飾機能付き装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持され、スリット（２０）を設けられた前記シート部材（１０）を保護するシート保護部材（１５１）が、前記シート部材（１０）と前記装飾物保持部材（３０）の間に、前記シート部材（１０）に密着または貼着または近接して設けられたことを特徴とする装飾機能付きシート状案内表示物（２）。
【請求項３１】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
１以上の前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）及び背面に１以上の前記装飾物保持部材（３０）を設けたことを特徴とする装飾機能付きシート状案内表示物（２）。 
【請求項３２】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）は、前記シート部材の背面に充足された、弾性または発泡性樹脂の充填剤であり、
前記装飾物（Ｓ）が前記スリットから挿通されて、
前記装飾物保持部材（３０）である充填剤に挿し入れられることにより、前記装飾物が保持されることを特徴とする装飾機能付きシート状案内表示物（２）。 
【請求項３３】
前記スリット（２０）の形状を、曲線形状あるいは折れ線形状とさせることを特徴とする請求項２０から請求項３２のいずれかに記載の装飾機能付きシート状案内表示物（２）。
【請求項３４】
前記、装飾物（Ｓ）を保持する保持手段を有する装飾機能付きシート状案内表示物において、前記シート部材（１０）がＥＬディスプレイであることを特徴とする請求項２０から請求項３３のいずれかに記載の装飾機能付きシート状案内表示物（２）。
【請求項３５】
前記装飾物（Ｓ）を保持する保持手段を有し、スリット（２０）が設けられる装飾機能付きシート状案内表示物において、前記シート部材（１０）がＥＬディスプレイであり、前記スリット（２０）を設けられる部分が、設けられた各画素毎の発光素子に対して、防水、防気されていることを特徴とする請求項２０から請求項３４ のいずれかに記載の装飾機能付きシート状案内表示物（２）。
【請求項３６】
前記シート部材（１０）の背面に、前記装飾物保持部材（３０）が密着または貼着されて、装飾物（Ｓ）が保持されることを特徴とする、請求項２０から請求項３５のいずれかに記載の装飾機能付きシート状案内表示物（２）。
【請求項３７】
前記装飾機能付きシート状案内表示物（２）が複数の前記シート部材（１０）からなり、前記スリット（２０）が、複数の前記シート部材（１０）を重ね合わせることによる隙間の開口部であり、前記装飾物（Ｓ）が前記スリット（２０）から挿通されて、前記装飾物保持部材によって保持されることを特徴とする請求項２０から請求項３６のいずれかに記載の装飾機能付きシート状案内表示物（２）。
【請求項３８】
前記装飾機能付きシート状案内表示物（２）の装飾物保持部材が、磁石または、面ファスナーまたは、粘着テープまたは、摩擦力の強いシート部材または、結束バンドまたは、紐状体であり、前記装飾物（Ｓ）が前記スリット（２０）から挿通されて、前記磁石の磁力、または前記面ファスナーの結合力、または前記粘着テープの粘着力、または摩擦力の強いシート部材の摩擦力、または、結束バンドあるいは紐状体の結束力にて保持されることを特徴とする請求項３７に記載の装飾機能付きシート状案内表示物（２）。
【請求項３９】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
前記支持材（２３）は、シート部材（１０）の位置を保持する機能を有し、
前記シート部材（１０）には１以上のスリット（２０）を設けられ、
前記装飾物（Ｓ）が前記スリット（２０）から挿通され、
前記スリット（２０）から挿通された前記装飾物（Ｓ）が、装飾物保持部材（３０）として、
シート部材への穿通部材、またはシート部材との挟み込み部材、又は、前記スリット（２０）よりサイズの大きい抜け止め部材、又は、粘着部材を前記シート部材（１０）と係止して設けられ、
シート部材への穿通部材の場合は穿通部をシート部材に穿通させ、また、シート部材との挟み込み部材で前記シート部材を挟持して、また、スリット（２０）よりサイズの大きい抜け止め部材の場合は前記スリット（２０）から抜けないようにして、また、粘着部材の場合には、前記シートの背面側から貼着させることによる、前記装飾物保持部材（３０）と、前記シート部材（１０）と前記スリットに挿通した前記装飾物（Ｓ）との３要素が関わり合う構成である三相互保持構造により保持させることを特徴とする装飾機能付きシート状案内表示物（２）。 
【手続補正書】
【提出日】平成31年1月2日(2019.1.2)
【手続補正１】
【補正対象書類名】特許請求の範囲
【補正対象項目名】全文
【補正方法】変更
【補正の内容】
【特許請求の範囲】
【請求項１】
装飾物（Ｓ）を保持する保持手段を有する案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、
前記シート部材（１０）に、１以上のスリット（２０）を設け、
前記支持材（２３）は、シート部材（１０）あるいは装飾物保持部材（３０）の位置を保持する機能を有し、前記装飾物保持部材（３０）は、前記装飾物を保持する機能を有し、
前記装飾物保持部材（３０）を前記支持材（２３）から吊設または架設させ、前記装飾物（Ｓ）を前記スリット（２０）から挿通させ、前記装飾物保持部材（３０）によって保持させ、
前記装飾物保持部材（３０）は、前記任意の位置に設けるスリット（２０）位置に合わせて、必要に応じて位置調整が可能であることを特徴とする装飾機能付きシート状案内表示物の製造方法（１）。
【請求項２】
装飾物（Ｓ）を保持する保持手段を有する案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
弾性力あるいは高摩擦力のある弾性挟持部材（６３）を準備し、該弾性挟持部材（６３）に１以上の切り込みを入れてスリットを設けるか、または、該弾性挟持部材を重ねることによって１以上のスリットを設け、前記弾性挟持部材（６３）によって設けられたスリットを第２スリット（６４）とし、該第２スリット（６４）を備えさせた装飾物保持部材（３０）である前記弾性挟持部材（６３）を、
装飾物保持部材（３０）として前記シート部材（１０）の背面に配置し、
前記装飾物（Ｓ）を前記スリット（２０）に挿通させて、前記シート部材（１０）の背面に配置させた前記装飾物保持部材（３０）である弾性挟持部材（６３）に挟持させ、
前記装飾物（Ｓ）を、前記弾性挟持部材（６３）の第２スリット（６４）への挟持による挟持保持力あるいは摩擦保持力を利用した保持手段として第２スリット（６４）の挟持力あるいは摩擦力によって保持させることを特徴とする装飾機能付きシート状案内表示物の製造方法（１）。
【請求項３】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
装飾物保持部材（３０）である穿通可能材（２４）を前記シート部材（１０）の背面に配置し、
前記シート部材（１０）に、１以上のスリット（２０）を設けて、
装飾物（Ｓ）を準備し、
前記装飾物（Ｓ）には穿通可能材（２４）である前記装飾物保持部材（３０）を穿通し刺入可能な刺入形状部（２５）を設け、
前記穿通可能材（２４）は、前記刺入形状部（２５）により穿通可能な材質である穿通可能材（２４）であり、
前記装飾物（Ｓ）を前記スリット（２０）から挿通させて前記穿通可能材（２４）に前記刺入形状部（２５）を穿通させ、
前記装飾物（Ｓ）の保持手段として、該穿通可能材（２４）への刺入または挟持による保持力を利用して、前記スリット（２０）から挿通させて保持させることを特徴とする装飾機能付きシート状案内表示物の製造方法（１）。
【請求項４】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）である１以上のファスナー（７０）とファスナースライダー（７１）のセットを前記シート部材（１０）の背面に配置し、
前記装飾物保持部材（３０）は、１つのファスナーにつき、２以上のファスナースライダー（７１）を備えさせたセットを１以上設けさせ、
前記２以上のファスナースライダー（７１）により開閉可能な開口部を設けさせ、
装飾物（Ｓ）を前記スリット（２０）に挿通させて、前記シート部材（１０）の背面に配置させた前記装飾物保持部材（３０）の前記ファスナスライダー（７１）による開口部に挟持させて、
保持させるか、または、前記ファスナースライダー（７１）に前記装飾物を保持可能である任意の別の種類の装飾物保持部材（３０）を設けて、該別の種類の装飾物保持部材（３０）に前記装飾物（Ｓ）を保持させることを特徴とする装飾機能付きシート状案内表示物の製造方法（１）。
【請求項５】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）である段差付材（９１）を前記シート部材（１０）の背面に配置し、
前記段差付材（９１）は、面に装飾物（Ｓ）を引掛けまたは載置可能な段差を設けた構造であり、
前記装飾物（Ｓ）を前記スリット（２０）に挿通させて、前記シート部材（１０）の背面に配置させた前記装飾物保持部材（３０）の前記段差付材（９１）の段差部に載置または引っ掛けて
保持させることを特徴とする装飾機能付きシート状案内表示物の製造方法（１）。 
【請求項６】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）を前記シート部材（１０）の背面に配置し、 
前記装飾物保持部材（３０）は、穴部（４５）を設けられた穴部材（３７）とし、
前記穴部材（３７）は、面に１の穴部を備えた構造あるいはリング状のリング状部材（４４）、または、面に複数の穴部を備えた構造あるいは網状の多穴部材（３６）であり、
前記装飾物（Ｓ）を前記スリット（２０）から挿通させて
前記穴部材（３７）の穴部（４５）へ挿入または引っ掛けまたは結束または係止させ、前記スリット（２０）から挿通させて穴部材によって保持させることを特徴とする装飾機能付きシート状案内表示物の製造方法（１）。
【請求項７】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
装飾物保持部材（３０）を準備し、該装飾物保持部材（３０）は、可撓性を有する背面シート部材（１００）に、小シートまたは紐状体を該小シートまたは紐状体の少なくとも２か所で前記背面シート部材（１００）に貼着させることによって前記貼着させた２か所以上の間の部分で引掛け部（９２）を形成することによる掛着部材（１３）、または前記背面シート（１００）の一部に１以上の切り込みを設けることによるカット掛着部（１５）を備えさせることによって構成させ、
前記装飾物保持部材（３０）を前記シート部材（１０）の背面に配置し、 
前記装飾物（Ｓ）を前記スリット（２０）から挿通させて
前記掛着部材（１３）またはカット掛着部（１５）へ掛着または、挿入して掛着させて前記装飾物（Ｓ）を引掛け、または挿入及び引掛けて保持させることを特徴とする装飾機能付きシート状案内表示物の製造方法（１）。
【請求項８】
装飾物（Ｓ）を保持する保持手段を備えた装飾機能付きシート状案内表示物を製造する方法であって
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
前記シート部材の背面には、もう一枚のシート部材である背面シート部材（１００）を、装飾物保持部材（３０）を構成する部材として配置し、 
前記装飾物保持部材（３０）は、可撓性を有する１以上の背面シート部材（１００）からなり、該背面シート部材（１００）を、一部を前記支持材（２３）またはシート部材（１０）に係止させて前記シート部材（１０）と重複させて前記シート部材の背面に設け、
前記背面シート部材（１００）は、該背面シート部材（１００）の前面のシート部材または背面シート部材（１００）と一部を互いに貼着させて２シート貼着部を創出し、
前記２シート貼着部は、点あるいは直線あるいは曲線あるいは面の単独あるいは組み合わせで任意の位置及び方向及び形状に貼着し、
複数の背面シート部材（１００）を設ける場合は、必要に応じて、前記スリット（２０）に対応した位置に前記背面シート部材（１００）にもスリットである第２スリットを設け、
前記装飾物（Ｓ）を前記スリット（２０）あるいは前記第２スリットにも合わせて挿通させて
前記装飾物を隣り合う前記第シート部材と背面シート部材（１００）あるいは、複数の背面シート部材（１００）、あるいは前記２シート貼着部との間にて、引っ掛けあるいは、当接あるいは、挿入、あるいは引掛けと挿入、あるいは摩擦によって保持させることを特徴とする装飾機能付きシート状案内表示物の製造方法（１）。 
【請求項９】
前記装飾機能付きシート状案内表示物の重複した前記シート部材（１０）と背面シート部材（１００）をそれぞれ、上側のシート部材Ｂ（１５９）と下側のシート部材Ａ（１５８）とし、前記スリット（２０）を、重ね合わされた前記シート部材Ｂ（１５９）とシート部材Ａ（１５８）の隙間の開口部によって形成させ、該重ね合わせたシート部材Ｂ（１５９）及びシート部材Ａ（１５８）の任意の位置において、点あるいは直線あるいは曲線あるいは面の単独あるいは組み合わせで任意の位置及び方向及び形状に互いに貼着させて前記２シート貼着部とし、前記装飾物（Ｓ）を前記スリット（２０）から挿通させて、前記装飾物を隣り合う前記シート部材Ｂ（１５９）とシート部材Ａ（１５８）あるいは、前記２シート貼着部との間にて、引っ掛けあるいは、当接あるいは、挿入、あるいは引掛けと挿入、あるいは摩擦によって保持させることを特徴とする請求項８に記載の装飾機能付きシート状案内表示物の製造方法（１）。
【請求項１０】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
前記支持材（２３）に、装飾物保持部材（３０）を備えた部材である保持部装着材（３５）を吊設または架設して、前記装飾物保持部材（３０）を１以上の筒形状の筒状体部材として前記シート部材（１０）の背面の、前記シート部材（１０）のスリット（２０）の位置に合わせて設け、
該筒状体部材を、貫通筒状体または開口部が１の筒状体とした構造とし、また、必要に応じて、前記筒状体の側面に第２スリット（６４）または穴を設け、
前記装飾物（Ｓ）を前記スリット（２０）から挿通させて、該筒状体部材の開口部または該筒状体部材の側面に設けた第２スリット（６４）あるいは穴に挿入または挿入及び引掛けることにより保持させることを特徴とする装飾機能付きシート状案内表示物の製造方法（１）。 
【請求項１１】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）に、
該シート部材（１０）を保護するシート保護部材（１５１）を、前記シート部材（１０）の背面に、前記シート部材（１０）に密着または貼着または近接して設けさせて、
前記表示可能領域（１１）を視認可能に前記支持材に係止させた状態で準備し、
前記支持材（２３）は、シート部材（１０）の位置を保持する機能を有し、
前記シート部材（１０）と前記シート保護具材（１５１）にも、１以上のスリットを設け、
装飾物保持部材（３０）を前記シート部材（１０）と前記シート保護部材（１５１）の背面に配置し、
前記装飾物（Ｓ）を前記スリット（２０）から挿通させて前記装飾物保持部材（３０）によって保持させることを特徴とする装飾機能付きシート状案内表示物の製造方法（１）。
【請求項１２】
装飾物（Ｓ）を保持する保持手段を備えた装飾機能付きシート状案内表示物を製造する方法であって、
全部又は一部を表示可能領域（１１）とする可撓性を有するシート状である１以上のシート部材（１０）を、
前記表示可能領域（１１）を視認可能に、支持材に係止させて２方向以上に表示可能な該シート部材（１０）とし、
１以上の構成では湾曲あるいは、屈曲させて、あるいは、２以上の構成では前記シート部材（１０）の一辺を他のシート部材又は支持材（２３）に係止させ、
前記シート部材（１０）に、１以上のスリット（２０）を設けて、
前記シート部材（１０）の背面に１以上の装飾物保持部材（３０）を設けさせ、
前記装飾物（Ｓ）を前記スリット（２０）から挿通させて前記装飾物保持部材（３０）によって保持させることを特徴とする装飾機能付きシート状案内表示物の製造方法（１）。
【請求項１３】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材の背面に、弾性または発泡性樹脂の充填剤を充足し、前記充填剤を装飾物保持部材（３０）とし、 
前記シート部材（１０）に、１以上のスリット（２０）を設け、
前記装飾物（Ｓ）を前記スリットから挿通させて、
前記装飾物保持部材（３０）である充填剤に挿し入れて
前記装飾物を保持することを特徴とする装飾機能付きシート状案内表示物の製造方法（１）。
【請求項１４】
前記スリット（２０）の形状を、曲線形状あるいは折れ線形状とさせることを特徴とする請求項１から請求項１３のいずれかに記載の装飾機能付きシート状案内表示物の製造方法（１）。
【請求項１５】
前記、装飾物（Ｓ）を保持する保持手段を有する装飾機能付きシート状案内表示物を製造する方法において、前記シート部材（１０）をＥＬディスプレイとすることを特徴とする請求項１から請求項１４のいずれかに記載の装飾機能付きシート状案内表示物の製造方法（１）。
【請求項１６】
前記シート部材（１０）の背面に、前記装飾物保持部材（３０）を密着または貼着させて、装飾物（Ｓ）を保持させることを特徴とする、請求項１から請求項１５のいずれかに記載の装飾機能付きシート状案内表示物の製造方法（１）。
【請求項１７】
前記装飾機能付きシート状案内表示物を２以上の前記シート部材（１０）を重ね、前記スリット（２０）を、前記シート部材（１０）を重ね合わせることによる隙間の開口部によって形成させ、前記前記装飾物（Ｓ）を前記スリット（２０）から挿通させて、前記シート部材（１０）の背面に設けた前記装飾物保持部材によって保持させることを特徴とする請求項１から請求項１６のいずれかに記載の装飾機能付きシート状案内表示物の製造方法（１）。
【請求項１８】
前記装飾機能付きシート状案内表示物の装飾物保持部材として、磁石または、面ファスナーまたは、粘着テープまたは、摩擦力の強いシート部材または、結束バンドまたは、紐状体を前記スリット（２０）の位置に対応する前記シート部材（１０）の背面に設けて、前記装飾物（Ｓ）が前記スリット（２０）から挿通されて、前記磁石の磁力、または前記面ファスナーの結合力、または前記粘着テープの粘着力、または摩擦力の強いシート部材の摩擦力、または、結束バンドあるいは紐状体の結束力にて保持させることを特徴とする請求項１７に記載の装飾機能付きシート状案内表示物の製造方法（１）。
【請求項１９】
装飾物（Ｓ）を保持する保持手段を備えた装飾機能付きシート状案内表示物を製造する方法であって、
支持材（２３）に全部又は一部を表示可能領域（１１）とする可撓性を有するシート状であるシート部材（１０）を、前記表示可能領域（１１）を視認可能に、前記シート部材（１０）の辺を係止させて準備し、、
前記支持材（２３）は、シート部材（１０）の位置を保持する機能を有し、
前記シート部材（１０）に、１以上のスリット（２０）を設け、
前記装飾物（Ｓ）を前記スリット（２０）から挿通させて、
前記スリット（２０）から挿通させた装飾物（Ｓ）に、装飾物保持部材（３０）として、シート部材への穿通部材、またはシート部材との挟み込み部材、又は、スリット（２０）よりサイズの大きい抜け止め部材、又は、粘着部材を係止して設けて、
シート部材への穿通部材の場合は穿通部をシート部材に穿通させ、また、シート部材との挟み込み部材で前記シート部材を挟持して、また、スリット（２０）よりサイズの大きい抜け止め部材の場合は前記スリット（２０）から抜けないようにして、また、粘着部材の場合には、前記シートの背面側から貼着させることによる、前記装飾物保持部材（３０）と、前記シート部材（１０）と前記スリットに挿通した前記装飾物（Ｓ）との３要素が関わり合う構成である三相互保持構造により保持させることを特徴とする装飾機能付きシート状案内表示物の製造方法（１）。
【請求項２０】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）を設けられ、
前記支持材（２３）は、シート部材（１０）、あるいは装飾物保持部材（３０）の位置を保持する機能を有し、前記装飾物保持部材（３０）は、前記装飾物を保持する機能を有し、該装飾物保持部材（３０）は前記支持材（２３）から、吊設または架設されており、前記スリット（２０）は開口部であって、前記シート部材（１０）に前記装飾物（Ｓ）を挿通させる際に開口する挿通穴（２１）となり、前記シート部材（１０）の任意の位置に少なくとも１以上を設けられたスリットの穴であり、前記装飾物保持部材（３０）は、前記任意の位置に設けられたスリット（２０）位置に合わせて、必要に応じて、吊設または架設された位置を変更することによって位置調整が可能で、前記装飾物（Ｓ）が前記スリット（２０）から挿通されて前記支持材（２３）より吊設または架設された前記装飾物保持部材（３０）によって保持することを特徴とする装飾機能付きシート状案内表示物（２）。 
【請求項２１】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）に、はスリット（２０）を設けられ、
前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、弾性力あるいは高摩擦力のある材料を用いた弾性挟持部材（６３）であり、該弾性挟持部材（６３）には、前記シート部材（１０）の任意の位置に少なくとも１以上設けられたスリット（２０）に合わせた位置の背面に、１以上の第２スリット（６４）が設けられ、
該第２スリット（６４）は、前記弾性挟持部材（６３）に１以上の切り込みを入れられて設けられたスリットであるか、または、該弾性挟持部材を重ねることによって設けられた１以上のスリットであり、
該弾性挟持部材（６３）の第２スリット（６４）への挟持による挟持保持力あるいは摩擦保持力を利用した前記保持手段として、前記装飾物（Ｓ）が前記スリット（２０）から挿通されて第２スリット（６４）の挟持力あるいは摩擦力によって保持することを特徴とする装飾機能付きシート状案内表示物（２）。
【請求項２２】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記装飾物（Ｓ）には穿通可能材（２４）である前記装飾物保持部材（３０）を穿通し、刺入可能な刺入形状部（２５）が設けられており、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記刺入形状部（２５）により穿通可能な材質である穿通可能材（２４）からなり、
該穿通可能材（２４）には、前記シート部材（１０）の前記スリット（２０）の位置に合わせて、第２スリット（６４）を設けられ、該穿通可能材（２４）への刺入または挟持による保持力を利用した前記保持手段として、前記装飾物（Ｓ）が前記スリット（２０）から挿通されて刺入または挟持による保持力によって保持することを特徴とする装飾機能付きシート状案内表示物（２）。
【請求項２３】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、１以上のファスナー（７０）とファスナースライダー（７１）のセットによって構成され、
前記ファスナー（７０）とファスナースライダー（７１）のセットは、１セットあたり２以上のファスナースライダー（７１）を備え該２以上のファスナースライダー（７１）の移動によって該ファスナースライダーの間の開閉可能な開口部へ前記装飾物を挟持することによる挟持力による保持手段とし、あるいは、前記１以上のファスナースライダー（７１）に前記装飾物を保持可能である任意の別の種類の装飾物保持部材（３０）が設けられて移動可能であり、該別の種類の装飾物保持部材（３０）による保持力を利用したことを前記保持手段として、前記装飾物（Ｓ）が前記スリット（２０）から挿通されて保持することを特徴とする装飾機能付きシート状案内表示物（２）。
【請求項２４】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）は、面に前記装飾物（Ｓ）を載置または引っ掛け可能な段差部を設けた構造である段差付材（９１）からなり、
該段差部には、必要に応じて引掛け部（９２）あるいは横ずれ防止部（９３）が設けられており、該段差付材（９１）の段差部への載置または該段差付材（９１）の引掛け部（９２）への引っ掛けによる保持力を利用したことを前記保持手段として、前記装飾物（Ｓ）が前記スリット（２０）から挿通されて載置または引っ掛けによる保持力によって保持することを特徴とする装飾機能付きシート状案内表示物（２）。
【請求項２５】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、穴部（４５）を設けられた穴部材（３７）からなり、
前記穴部材（３７）は、面に１の穴部を備えた構造あるいはリング状のリング状部材（４４）、または、面に複数の穴部を備えた構造あるいは網状の多穴部材（３６）であり、
前記装飾物（Ｓ）が前記スリット（２０）から挿通されて、該穴部材（３７）の穴部（４５）への挿入または引っ掛けまたは結束または係止され、前記装飾物（Ｓ）が前記スリット（２０）から挿通されて穴部材によって保持されることを特徴とする装飾機能付きシート状案内表示物（２）。
【請求項２６】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）が、可撓性を有する背面シート部材（１００）と該背面シート部材（１００）に設けられた掛着部材（１３）またはカット掛着部（１５）からなり、該背面シート部材（１００）はシート部材（１０）の背面に設けられ、
前記掛着部材（１３）は、可撓性を有する背面シート部材（１００）に、小シートまたは紐状体を該小シートまたは紐状体の少なくとも２か所で前記背面シート部材（１００）に貼着させることによって前記貼着させた２か所以上の間の部分で引掛け部（９２）を形成することにより引掛け部(９２)を形成し、また、前記カット掛着部（１５）は前記背面シート（１００）の一部に１以上の切り込みを設けることにより引掛け部（９２）を形成し、
装飾物Ｓはそれぞれの装飾物保持部材（３０）に引掛けて保持可能で、前記保持手段が引掛けあるいは挿入による場合は、前記掛着部材（１３）またはカット掛着部（１５）に挿入して引掛けて保持し、該掛着部材（１３）またはカット掛着部（１５）は前記スリット（２０）と対応する前記シート部材（１０）の裏面に位置する個所に設けられ、または、任意で、前記背面シート部材（１００）の代わりに、前記シート部材（１０）に前記掛着部材（１３）またはカット掛着部（１５）を設け、前記装飾物（Ｓ）を前記掛着部材（１３）またはカット掛着部（１５）へ掛着または、挿入して掛着することによって前記装飾物（Ｓ）を引掛け、または挿入及び引掛けによって保持することを特徴とする装飾機能付きシート状案内表示物（２）。
【請求項２７】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）は、可撓性を有する１以上の背面シート部材（１００）からなり、該背面シート部材（１００）は、一部を前記支持材（２３）またはシート部材（１０）に係止されて前記シート部材（１０）と重複して前記シート部材の背面に設けられ、前記背面シート部材（１００）は、該背面シート部材（１００）の前面のシート部材（１０）または背面シート部材（１００）と一部を互いに貼着された２シート貼着部を設け、前記２シート貼着部は、点あるいは直線あるいは曲線あるいは面の単独あるいは組み合わせで任意の位置及び方向及び形状に貼着し、
更に複数の背面シート部材（１００）を設ける場合は、必要に応じて、前記スリット（２０）に対応した位置に前記背面シート部材（１００）にもスリットである第２スリットを設け、
前記装飾物（Ｓ）が前記スリット（２０）あるいは前記第２スリットにも合わせて挿通されて
前記装飾物を隣り合う前記第シート部材と背面シート部材（１００）あるいは、複数の背面シート部材（１００）、あるいは前記２シート貼着部との間にて、引っ掛けあるいは、当接あるいは、挿入、あるいは引掛けと挿入、あるいは摩擦によって保持されることを特徴とする装飾機能付きシート状案内表示物（２）。
【請求項２８】
前記装飾機能付きシート状案内表示物（２）の重複したシート部材（１０）と背面シート部材（１００）をそれぞれ、上側のシート部材Ｂ（１５９）と下側のシート部材Ａ（１５８）とし、前記スリット（２０）が、重ね合わされた前記シート部材Ｂ（１５９）とシート部材Ａ（１５８）の隙間の開口部であり、該重ね合わせたシート部材Ｂ（１５９）及びシート部材Ａ（１５８）の任意の位置における、点あるいは直線あるいは曲線あるいは面の単独あるいは組み合わせで任意の位置及び方向及び形状に互いに貼着した部分を前記２シート貼着部とし、前記装飾物（Ｓ）を前記スリット（２０）から挿通させて、前記装飾物を隣り合う前記シート部材Ｂ（１５９）とシート部材Ａ（１５８）あるいは、前記２シート貼着部との間にて、引っ掛けあるいは、当接あるいは、挿入、あるいは引掛けと挿入、あるいは摩擦によって保持させることを特徴とする請求項２７に記載の装飾機能付きシート状案内表示物（２）。
【請求項２９】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
前記支持材（２３）からは、装飾物保持部材（３０）を備えた部材である保持部装着材（３５）が吊設または架設されており、装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記保持部装着材（３５）に設けられた前記装飾物保持部材（３０）が、挿入または挿入及び引掛けによる保持力を利用した前記保持手段として１以上の筒形状の筒状体部材が設けられ、
該筒状体部材は、前記保持部装着材（３５）の長さあるいは位置を変更することによって、前記シート部材（１０）の任意の位置に設けられたスリット（２０）位置に、その位置を自由に調節可能で、該筒状体部材は任意で、貫通筒状体または開口部が１の筒状体とした構造とし前記装飾物（Ｓ）が前記スリット（２０）から挿通されて該筒状体部材の開口部または該筒状体部材の側面に設けられた第２スリット（６４）あるいは穴に挿入または挿入及び引掛けることにより保持することを特徴とする装飾機能付きシート状案内表示物（２）。
【請求項３０】
装飾物（Ｓ）を保持する保持手段を備えた装飾機能付き装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、前記装飾物保持部材（３０）が、前記シート部材（１０）の任意の位置に少なくとも１以上設けられたスリット（２０）に合わせた位置の背面に設けられ、前記装飾物（Ｓ）が前記スリット（２０）から挿通されて前記装飾物保持部材（３０）によって保持され、スリット（２０）を設けられた前記シート部材（１０）を保護するシート保護部材（１５１）が、前記シート部材（１０）と前記装飾物保持部材（３０）の間に、前記シート部材（１０）に密着または貼着または近接して設けられたことを特徴とする装飾機能付きシート状案内表示物（２）。
【請求項３１】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
１以上の前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）及び背面に１以上の前記装飾物保持部材（３０）を設けたことを特徴とする装飾機能付きシート状案内表示物（２）。 
【請求項３２】
装飾物（Ｓ）を保持する保持手段を有する装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
装飾物保持部材（３０）が前記シート部材（１０）の背面に設けられ、前記支持材（２３）は、シート部材（１０）の位置を保持する機能を有し、前記スリット（２０）は開口部であって、前記シート部材（１０）に前記装飾物（Ｓ）を挿通させる際に開口する挿通穴（２１）となり、前記シート部材（１０）の任意の位置に任意のサイズで少なくとも１以上を設けられたスリットの穴であり、
前記装飾物保持部材（３０）は、前記シート部材の背面に充足された、弾性または発泡性樹脂の充填剤であり、
前記装飾物（Ｓ）が前記スリットから挿通されて、
前記装飾物保持部材（３０）である充填剤に挿し入れられることにより、前記装飾物が保持されることを特徴とする装飾機能付きシート状案内表示物（２）。 
【請求項３３】
前記スリット（２０）の形状を、曲線形状あるいは折れ線形状とさせることを特徴とする請求項２０から請求項３２のいずれかに記載の装飾機能付きシート状案内表示物（２）。
【請求項３４】
前記、装飾物（Ｓ）を保持する保持手段を有する装飾機能付きシート状案内表示物において、前記シート部材（１０）がＥＬディスプレイであることを特徴とする請求項２０から請求項３３のいずれかに記載の装飾機能付きシート状案内表示物（２）。
【請求項３５】
前記装飾物（Ｓ）を保持する保持手段を有し、スリット（２０）が設けられる装飾機能付きシート状案内表示物において、前記シート部材（１０）がＥＬディスプレイであり、前記スリット（２０）を設けられる部分が、設けられた各画素毎の発光素子に対して、防水、防気されていることを特徴とする請求項２０から請求項３４ のいずれかに記載の装飾機能付きシート状案内表示物（２）。
【請求項３６】
前記シート部材（１０）の背面に、前記装飾物保持部材（３０）が密着または貼着されて、装飾物（Ｓ）が保持されることを特徴とする、請求項２０から請求項３５のいずれかに記載の装飾機能付きシート状案内表示物（２）。
【請求項３７】
前記装飾機能付きシート状案内表示物（２）が複数の前記シート部材（１０）からなり、前記スリット（２０）が、複数の前記シート部材（１０）を重ね合わせることによる隙間の開口部であり、前記装飾物（Ｓ）が前記スリット（２０）から挿通されて、前記装飾物保持部材によって保持されることを特徴とする請求項２０から請求項３６のいずれかに記載の装飾機能付きシート状案内表示物（２）。
【請求項３８】
前記装飾機能付きシート状案内表示物（２）の装飾物保持部材が、磁石または、面ファスナーまたは、粘着テープまたは、摩擦力の強いシート部材または、結束バンドまたは、紐状体であり、前記装飾物（Ｓ）が前記スリット（２０）から挿通されて、前記磁石の磁力、または前記面ファスナーの結合力、または前記粘着テープの粘着力、または摩擦力の強いシート部材の摩擦力、または、結束バンドあるいは紐状体の結束力にて保持されることを特徴とする請求項３７に記載の装飾機能付きシート状案内表示物（２）。
【請求項３９】
装飾物（Ｓ）を保持する保持手段を備えた装飾機能付きシート状案内表示物であって、
支持材（２３）に全部又は一部を表示可能領域（１１）とする可撓性を有するシート状であるシート部材（１０）が、前記表示可能領域（１１）を視認可能に係止されて設けられ、
前記シート部材（１０）にはスリット（２０）が設けられ、
前記支持材（２３）は、シート部材（１０）の位置を保持する機能を有し、
前記シート部材（１０）には１以上のスリット（２０）を設けられ、
前記装飾物（Ｓ）が前記スリット（２０）から挿通され、
前記スリット（２０）から挿通された前記装飾物（Ｓ）が、装飾物保持部材（３０）として、
シート部材への穿通部材、またはシート部材との挟み込み部材、又は、前記スリット（２０）よりサイズの大きい抜け止め部材、又は、粘着部材を前記シート部材（１０）と係止して設けられ、
シート部材への穿通部材の場合は穿通部をシート部材に穿通させ、また、シート部材との挟み込み部材で前記シート部材を挟持して、また、スリット（２０）よりサイズの大きい抜け止め部材の場合は前記スリット（２０）から抜けないようにして、また、粘着部材の場合には、前記シートの背面側から貼着させることによる、前記装飾物保持部材（３０）と、前記シート部材（１０）と前記スリットに挿通した前記装飾物（Ｓ）との３要素が関わり合う構成である三相互保持構造により保持させることを特徴とする装飾機能付きシート状案内表示物（２）。